(57)【特許請求の範囲】
【請求項１】
スピーカアセンブリの指向性性能を向上させるための装置であって、
第１の表面および第２の表面を含む部材を備えており、
該第１の表面と該第２の表面とが、第１の縁を形成するように合体して、周縁を画定し、該周縁は、取付特徴を含み、
該第１の表面および該第２の表面は、該部材を通る有効アパーチャを画定するように配列される複数の穿孔を形成するようにさらに合体し、
該部材は、該有効アパーチャと該取付特徴との間にある中実部分をさらに含み、該中実部分の少なくとも一部は、実質的に第１の平面上にあり、
該取付特徴は、第２の平面上にある脚部特徴と、該脚部特徴を該中実部分に結合する孤立部分とを含み、該脚部特徴は、スピーカと嵌合して、該スピーカと該部材の脚部特徴との間に実質的な気密シールを形成するように適合され、
該有効アパーチャの一部は、尖部およびドーム基部を有するドーム表面を含み、該尖部は、該第１の平面上にあり、該ドーム基部は、該第１の平面と該第２の平面との間にあり、
該部材は、該ドーム表面の該ドーム基部と該中実部分との間にある実質的に円錐の区画をさらに含み、
該円錐の区画は、該スピーカアセンブリと該部材との間に選択された体積の空気の空間を形成するように角度をなしている、装置。
【請求項２】
前記実質的に円錐の区画の少なくとも一部は、前記複数の穿孔の一部を含む、請求項１に記載の装置。
【請求項３】
前記複数の穿孔は、前記有効アパーチャの外側境界を形成するように配列され、該有効アパーチャの外側境界は、星形形状、花形形状、および星様形状のうちの少なくとも１つを含む、請求項１−２のいずれか一項に記載の装置。
【請求項４】
前記ドーム表面は、凸状ドームとして形成され、前記実質的に円錐の区画と該凸状ドームとの間の接続は、襞を形成する、請求項１−３のいずれか一項に記載の装置。
【請求項５】
前記部材を通る前記有効アパーチャを画定するように配列される前記複数の穿孔は、該有効アパーチャ内の中心に位置する無孔部分を形成するようにさらに配列される、請求項１−４のいずれか一項に記載の装置。
【請求項６】
スピーカアセンブリの指向性性能を向上させるための装置であって、
第１の表面および第２の表面を含む部材を備えており、
該部材は、該第１の表面と該第２の表面との第１の合体物をさらに含み、該第１の合体物は、オリフィスを囲繞する複数の突起を画定するように内側唇部を形成し、
該第１の表面と前記第２の表面とは、該部材の周縁を形成するようにさらに合体し、該周縁は、取付特徴を含み、
該取付特徴は、スピーカと嵌合し、該スピーカと該部材の脚部部分との間の実質的な気密シールを形成するように適合される脚部部分を含み、
該複数の突起の各々は、該複数の突起のうちの隣接する１つの突起の外側輪郭と交差して、該オリフィスの中心点に対して、複数の外側頂点を形成する外側輪郭を含み、
該突起の各々は、該オリフィスの中心点に対して、内側に位置する頂点をさらに含み、
該第１の表面と該第２の表面とは、複数の予備アパーチャの複数の周縁を形成するように合体し、該予備アパーチャのうちの少なくとも１つは、該突起のうちの１つの突起の一部の中に位置する、装置。
【請求項７】
前記複数の突起の内側に位置する頂点と、前記オリフィスの前記外側頂点とは、不規則な星形形状を形成するように結合する、請求項６に記載の装置。
【請求項８】
前記外側頂点のうちの第１の外側頂点は、前記オリフィスの中心点から第１の外側頂点距離に位置し、
該外側頂点のうちの第２の外側頂点は、該オリフィスの中心点から第２の外側頂点距離に位置する、請求項６−７のいずれか一項に記載の装置。
【請求項９】
前記複数の内側に位置する頂点のうちの第１の内側に位置する頂点は、前記オリフィスの中心点から第１の距離に位置し、
該複数の内側に位置する頂点のうちの第２の内側に位置する頂点は、該オリフィスの中心点から第２の距離に位置する、請求項６−８のいずれか一項に記載の装置。
【請求項１０】
前記複数の内側に位置する頂点のうちの第１の内側に位置する頂点は、前記オリフィスの中心点から第１の距離に位置し、
該複数の内側に位置する頂点のうちの第２の内側に位置する頂点は、該オリフィスの中心点から第２の距離に位置する、請求項６−９のいずれか一項に記載の装置。
【請求項１１】
前記予備アパーチャのうちの少なくとも１つは、前記突起の各々の一部の中に位置する、請求項６に記載の装置。
【請求項１２】
前記予備アパーチャのうちの少なくとも１つは、該予備アパーチャのうちの該少なくとも１つの予備アパーチャの周縁内の複数の穿孔によって形成される有効予備アパーチャである、請求項６に記載の装置。
【請求項１３】
前記予備アパーチャのうちの少なくとも１つの予備アパーチャの周縁のうちの少なくとも１つは、星様形態、花形様形態、および円形様形態のうちの少なくとも１つの形状を有する断面領域を画定する、請求項６に記載の装置。
【請求項１４】
前記予備アパーチャのうちの少なくとも１つの予備アパーチャの周縁のうちの少なくとも１つは、三角形様形状および円形様形状のうちの少なくとも１つを含む、断面領域を画定する、請求項６に記載の装置。
【請求項１５】
各予備アパーチャは、断面アパーチャ表面積を含み、
各断面アパーチャ表面積の和は、前記オリフィスおよび該予備アパーチャのすべての結合された断面領域の和を介して判定された体積変位に関連する、請求項６に記載の装置。
【請求項１６】
取付リングおよびダイヤフラムを含むスピーカであって、該スピーカは、該ダイヤフラムの体積変位「Ｖｄ」を含み、該体積変位は、該ダイヤフラムの移動によって変位させられる空気の体積である、スピーカと、
断面アパーチャ表面積「Ｓ」を有する、中心に位置するアパーチャを含む音響レンズであって、該スピーカの取付リングに嵌合し、実質的な気密シールを形成する、音響レンズと
を備えており、該音響レンズの該断面アパーチャ表面積は、ある周波数範囲内の該スピーカに対して、該音響レンズの所望の挿入損失「ＩＬ」を得るように構成され、挿入損失は、該周波数範囲内において、
【数１０】
0005268203.tif 000011
である、装置。
【請求項１７】
前記音響レンズの挿入損失は、０．５ｄＢ以下である、請求項１６に記載の装置。
【請求項１８】
前記音響レンズの挿入損失は、１ｄＢ未満であって、該音響レンズは、複数の補助アパーチャをさらに含み、該補助アパーチャの各々は、表面積「Ｓｓ」を含み、前記スピーカの体積変位「Ｖｄ」と、全表面積「Ｓｓ」とＳとの組み合わせとの最大比は、１０未満の圧縮比を画定する、請求項１６に記載の装置。
【請求項１９】
複数の追加アパーチャを形成するための複数のさらなる穿孔をさらに含み、該さらなる穿孔は、予め画定された形状を有する該追加アパーチャの各々の境界を画定するように配置される、請求項１に記載の装置。
【請求項２０】
有効アパーチャを画定する前記複数の穿孔は、予め画定された形状を有する該有効アパーチャの境界を画定するように配置され、該有効アパーチャは、前記追加アパーチャから離間している、請求項１９に記載の装置。
【請求項２１】
前記実質的に円錐の区画の少なくとも一部は、前記追加アパーチャを含む、請求項１９に記載の装置。
【請求項２２】
スピーカアセンブリの指向性性能を向上させるための装置であって、
ダイヤフラムを有するスピーカアセンブリと、
該ダイヤフラムを覆うように構成された音響レンズと
を含み、
該音響レンズは、
第１の表面および、該第１の表面に対向し該ダイヤフラムアセンブリに面する第２の表面と、
該音響レンズの略中心部分に形成され、該ダイヤフラムの上に配置されるオリフィスと、
該中心部分の周りの中実部分の外側を画定するように中心部分から間隔を空けて配置される外縁と、
該中心部分に形成され、該オリフィスの周囲に分布する複数の予備アパーチャと、
該外縁に沿って該第２の表面に属する取付特徴と
を含み、
該取付特徴は、該スピーカアセンブリに取り付けて該スピーカアセンブリとの間の実質的な気密シールを形成するように構成され、該中心部分は、該オリフィスの周囲に形成された不撓性部分を含む、装置。
【請求項２３】
前記オリフィスは、内側唇部によって画定され、該内側唇部は、該オリフィスを囲繞する複数の突起をさらに画定し、前記予備アパーチャのうちの少なくとも１つは、該突起のうちの１つの突起の一部の中に位置する、請求項２２に記載の装置。
【請求項２４】
前記予備アパーチャのうちの少なくとも１つは、前記突起の各々の一部に位置する、請求項２３に記載の装置。
【請求項２５】
前記突起の各々は、該突起の隣接する１つの突起の外側輪郭と交差して該オリフィスの中心点に対して複数の外側頂点を形成する外側輪郭と、該オリフィスの中心点の内側に位置する頂点とを含む、請求項２３または２４に記載の装置。
【請求項２６】
前記突起の各々の外側輪郭と前記内側に位置する頂点と前記外側頂点とは、結合して、星様形状、花形形状、星形形状のうちの少なくとも１つを有する前記オリフィスを形成する、請求項２５に記載の装置。
【請求項２７】
前記内側に位置する頂点は、前記オリフィスの中心点から第１の距離に位置する第１の内側に位置する頂点と、該オリフィスの中心点から該第１の距離とは異なる第２の距離に位置する第２の内側に位置する頂点とをさらに含む、請求項２５に記載の装置。
【請求項２８】
前記予備アパーチャのうちの少なくとも１つは、該予備アパーチャのうちの該少なくとも１つの予備アパーチャの周縁内の複数の穿孔によって形成された有効な予備アパーチャである、請求項２２−２７のいずれか一項に記載の装置。
【請求項２９】
前記オリフィスは、該オリフィスの周縁内の複数の穿孔によって形成された有効アパーチャである、請求項２８に記載の装置。
【請求項３０】
前記音響レンズは、前記外側中実部分から前記オリフィスに向けて内側に延在する、円錐区画をさらに含む、請求項２２−２９のいずれか一項に記載の装置。
【請求項３１】
前記予備アパーチャのうちの少なくとも１つは、前記円錐区画の中に形成される、請求項３０に記載の装置。
【請求項３２】
前記中心部分は、該中心部分よりも高い隆起を構成する、請求項２２−３１のいずれか一項に記載の装置。
【請求項３３】
前記ダイヤフラムは、外径を有し、前記予備アパーチャは、該ダイヤフラムの該外径に近いか若しくは同じ寸法で、前記オリフィスの中心点に位置している、請求項２２−３１のいずれか一項に記載の装置。
【請求項３４】
前記オリフィスは、所望の周波数範囲内で所与の指向性指数「ＤＩ」に対する大きさの断面積「Ｓ」を有し、前記スピーカアセンブリは、前記ダイヤフラムの体積変位「Ｖｄ」を含み、該体積変位は、該ダイヤフラムの移動によって変位させられる空気の体積であり、該オリフィスの断面積「Ｓ」は、該周波数範囲内で該スピーカアセンブリに対する前記音響レンズの所望の挿入損失「ＩＬ」を得るようにさらに構成され、該挿入損失は、
【数１１】
0005268203.tif 000012
である、請求項２２−３３のいずれか一項に記載の装置。
【請求項３５】
前記所望の挿入損失「ＩＬ」は、最大で０．５ｄＢである、請求項３４に記載の装置。
【請求項３６】
前記予備アパーチャの各々は、断面積「Ｓｓ」を有し、前記ダイヤフラムの体積変位「Ｖｄ」の該断面積「Ｓｓ」と「Ｓ」の全ての組み合わせに対する比率は、１０よりも小さい圧縮比を規定する、請求項３４または３５に記載の装置。
【請求項３７】
前記部材は、強磁性特性を含み、該部材は、前記スピーカアセンブリに磁気的に結合されて、磁束収集を提供する、請求項１に記載の装置。
【発明の詳細な説明】
【技術分野】
【０００１】
（関連出願の相互参照）
本願は、米国仮特許出願第６１／０８８，８８２号（２００８年８月１４日出願）の優先権の利益を主張し、この出願の開示は、本明細書に参考として援用される。
【０００２】
（技術分野）
本発明は、ラウドスピーカに関し、より具体的には、直接放射ラウドスピーカおよびサウンド放射の指向性の修正に関する。
【背景技術】
【０００３】
（関連技術）
自動車用サウンドシステムは、現在、直接放射ラウドスピーカの指向性の性質によって、異なる聴取位置において、異なる音調平衡を被る。自動車内の囲繞周囲空間中へのサウンドエネルギーの放射は、ラウドスピーカに対する聴取者の相対的位置に応じて、異なる音調平衡の性質をもたらし得る。
【０００４】
典型的ラウドスピーカは、低周波数では、低指向性を有し得る。スピーカの応答は、より高い周波数では、向上した指向性および／または無効周波数応答を有し得る。故に、スピーカは、スピーカに対する聴取者の相対的位置に応じて、各聴取者に、同一周波数応答または音調の質を提供することにはならないであろう。応答差は、ある聴取位置では、高周波数出力の低下をもたらし得る。加えて、スピーカの主軸から離れた角度における応答は、主軸上の応答と異なる性質を有し得る。典型的には、軸外性能の異なる性質は、電子的に補正不可能である。
【発明の概要】
【課題を解決するための手段】
【０００５】
上述の困難点を克服するために、比較的に広い周波数範囲にわたって、非常に低くかつ均一の指向性を有するサウンド放射を提供する、改良型ラウドスピーカの必要性が存在する。より低く、より均一な指向性は、フェイズプラグを使用して、スピーカのサウンド生成表面より小面積を伴うアパーチャを通して、スピーカのサウンド生成表面から、サウンドエネルギーを誘導することによって、得られ得る。フェイズプラグの特徴に応じて、フェイズプラグは、より高い周波数では、スピーカアセンブリの無効応答をもたらし得る。
【０００６】
一例示的アセンブリは、音響レンズに結合される、スピーカを含む。スピーカへの音響レンズの合体物は、実質的に気密または空気耐久性のシールを形成する。シールは、音響レンズとスピーカとの間にガスケットを使用することによって、創出されてもよい。代替として、シールは、音響レンズをスピーカに糊着することによって、創出されてもよい。
【０００７】
音響レンズは、典型的には、中心に位置するアパーチャを含み得る。中心に位置するアパーチャは、音響レンズの共振点を移動させるように構成されてもよい。中心に位置するアパーチャは、種々の形状を有してもよい。例示的形状として、円形、楕円形、星形、花形、三角形、または星様を含む。形状は、不規則な形状であってもよい。形状の辺の長さは、等しくても、または等しくなくてもよい。アパーチャは、実質的に２次元または３次元であってもよい。アパーチャは、有効アパーチャを形成する、穿孔群によって、創出されてもよい。
【０００８】
歪曲および挿入損失を低減するために、音響レンズは、通気孔、補助アパーチャ、または予備アパーチャをさらに含んでもよい。中心アパーチャと同様に、各補助アパーチャも、種々の形状を有してもよい。
【０００９】
本明細書に説明される実施例は、サウンドシステムの指向性性能を向上させるための装置および方法の両方を提供する。加えて、独特な構造的形成および非対称特徴の適用は、向上した指向性を提供する一方、より高い周波数における無効周波数応答の影響を低減する。
【００１０】
一実施例では、サウンドシステムは、取付特徴と、サウンド発生表面と、を有する、ラウドスピーカを含む。フェイズプラグは、ラウドスピーカの取付特徴に取り付けられ、向上した指向性オーディオ性能を提供し得る。少なくとも一実施例では、音響レンズは、ともに結合され、スピーカサウンド発生表面から周囲空気までの通路を形成する、第１の部材と、第２の部材とを含んでもよい。また、第１の部材は、第１の表面と、第２の表面と、を含んでもよい。第１の表面と第２の表面とは、第１の縁を形成するように合体し、第１の部材の周縁を画定してもよい。また、第１の表面と第２の表面との合体物は、内側唇部を形成し、オリフィスの周囲に花弁を画定してもよい。第２の表面は、オリフィスを囲繞する突起をさらに含んでもよい。第１の部材および第２の部材は、支持部材によって、取着されてもよい。支持部材は、第２の表面から突出してもよく、各支持部材は、花弁のうちの１つに取着されてもよい。
【００１１】
第３の表面は、支持点を含んでもよく、各支持部材は、第２の表面が、第３の表面に直面するように、支持点のうちの１つに連結される。花弁はそれぞれ、第３の表面から離れる撓みを含んでもよい。第２の部材は、第３の表面と、第４の表面とを含む。第３の表面は、オリフィスに向かって配向される天頂を有する、突出部をさらに含んでもよい。
【００１２】
第４の表面は、面取りを施した縁をさらに含んでもよい。面取りを施した縁は、実質的に、第４の表面上の中心にある陥凹の周縁を画定してもよい。第４の表面は、スピーカのサウンド発生表面に対向するように配向されてもよい。第４の表面は、サウンド発生表面とフェイズプラグとの間に空隙を提供するように刻設されてもよい。サウンド発生表面とフェイズプラグとの間の空隙は、干渉することなく、サウンド発生表面の移動を可能にする。
【００１３】
第３の表面は、複数の突起をさらに含んでもよく、各突起は、第１の突起面と第２の突起面とを有する。各第１の突起面は、スピーカのサウンド発生表面に対向するように、面取りが施されてもよい。各第２の突起面は、実質的に、第３の表面に対向するように、面取りが施されてもよい。また、第３の表面は、チャネルをさらに含んでもよい。チャネルはそれぞれ、複数の突起のうちの２つ間に配置されてもよい。
【００１４】
フェイズプラグは、サウンド生成表面に対向するように配向される、開口部を含んでもよい。各開口部は、第２の表面と、第３の表面と、支持部材のうちの２つとによって、形成されてもよい。支持部のうちの２つは、隣接してもよい。開口部はそれぞれ、断面領域を画定または形成してもよい。加えて、開口部のうちの１つの断面領域のうちの少なくとも１つは、他の開口部のうちの少なくとも１つの断面領域と異なる、断面領域を有してもよい。断面領域の差異は、非対称特徴を提供し、各開口部からの異なる共振挙動をもたらし得る。
【００１５】
第３の表面の突出部は、フェイズプラグを通して、サウンドエネルギーの撓みを補助するように、実質的に円錐形態として成形されてもよい。第１の部材のオリフィスは、星形または花形として成形される、断面を含んでもよい。代替として、オリフィスは、星様、花形、あるいは星形形状または外観を含んでもよい。少なくとも一実施例では、星様、花形、または星形形状は、対称である、あるいは偶数の放射状に広がる点を有してもよい。他の実施例は、非対称特性または奇数の放射状に広がる点を有する、星様、花形、あるいは星形形状を含んでもよい。星様、花形、または星形形状は、サウンドエネルギーが伝搬するための経路を提供し、それによって、向上した周波数応答あるいは向上した指向性性能を提供してもよい。非対称特性は、フェイズプラグを通して、サウンドエネルギーが伝搬するための異なる経路を提供し、ある周波数範囲にわたって、共振を分散させる。各経路は、異なる共振周波数を有する。共振の分散は、システムの全体的周波数応答の向上を提供し得る。
【００１６】
フェイズプラグの別の実施例は、サウンドシステムからの指向性オーディオ性能を向上させるように構成される。特に、フェイズプラグは、自動車または車両において、向上した指向性オーディオ性能を提供するように構成されてもよい。フェイズプラグは、第１の表面と、第２の表面とを有する、第１の部材を含んでもよい。第１の表面と第２の表面との合体物は、第１の部材の周縁を形成する、第１の縁を形成する。第２の第１の表面と第２の表面との合体物は、内側唇部を形成し、フェイズプラグのオリフィスを中心として配置される、突起を形成する。各突起は、縁を含んでもよい。複数の縁は、第１の部材を通る、またはその中に、１つ以上の開口部を形成するように結合してもよい。第１の部材を通る、またはその中の開口部は、切片または楔を含んでもよい。楔または切片は、第１の部材を通して、１つ以上の開口部を形成し、オリフィスを創出または画定してもよい。さらに、隣接する突起のうちの１つを伴う、各突起の交点は、第１の部材内、またはそれを通る、切片または楔形状開口部の頂点を形成する、あるいはその輪郭を描いてもよい。第１の部材は、第２の表面から生じる支持部材をさらに含んでもよい。
【００１７】
フェイズプラグは、第１の部材に取着される、第２の部材を含んでもよい。第２の部材は、第３の表面と、第４の表面とを含んでもよく、第３の表面は、第２の表面に対向する。また、第３の表面は、支持位置によって囲繞される、ドーム特徴を含んでもよい。支持部材はそれぞれ、支持位置のうちの１つにおいて、第３の表面に連結され、第１の部材を第２の部材に取着してもよい。加えて、第１の部材の突起はそれぞれ、第３の表面から離れる撓みを含んでもよい。
【００１８】
また、フェイズプラグは、アパーチャを含んでもよく、各アパーチャは、第２の表面と、第３の表面と、複数の支持部材のうちの２つと、の組み合わせによって、形成される。アパーチャは、フェイズプラグのオリフィスに接続され、サウンドエネルギーを、アパーチャを通して、オリフィスから放射させてもよい。
【００１９】
また、フェイズプラグは、各切片または開口部の各頂点が、アパーチャのうちの１つと連繋されるように、構成されてもよい。ある実施例では、少なくとも１つの切片または開口部は、少なくとも１つの切片と結合される、アパーチャのうちの１つと対称的に整合される。他の実施例では、複数の切片は、連繋アパーチャのうちの１つと対称的に整合される。アパーチャと切片との整合は、連動し、サウンドがフェイズプラグを通過するようにチャネルを形成する。各チャネルは、音響エネルギーを異なる態様で伝搬させてもよい。その結果、それぞれのチャネルの結合された出力は、向上した音力応答を提供する。また、結合された出力は、向上した指向性を提供し得る。
【００２０】
さらに別の実施例では、サウンドシステムからの指向性オーディオ性能を向上させる装置は、取付特徴と、サウンド発生表面とを有するラウドスピーカを含む。また、サウンドシステムは、ラウドスピーカの取付特徴に取り付けられる、フェイズプラグを含んでもよい。フェイズプラグは、第１の部材と、第２の部材とを含んでもよい。第１の部材は、第１の合体物と、第２の合体物とを含む、第１の表面と、第２の表面とを含んでもよい。第１の表面と第２の表面との第１の合体物は、周縁縁を形成する。第１の表面と第２の表面との第２の合体物は、内側唇部を形成し、フェイズプラグのオリフィスの周囲に突出部を画定する。フェイズプラグのオリフィスは、車両または自動車の周囲空気中に放射するように配置されてもよい。第２の表面は、オリフィスを中心として配置される、突出部をさらに含んでもよい。第１の部材は、第２の表面から突出する、支持部材をさらに含んでもよい。
【００２１】
フェイズプラグの第２の部材は、第３の表面と、第４の表面とをさらに含んでもよく、第３の表面は、支持位置をさらに有する。各支持部材は、支持位置のうちの１つに連結されてもよい。フェイズプラグは、スピーカのサウンド発生表面に対向するように配向される、開口部をさらに含む。開口部はそれぞれ、オリフィスと連通または接続され、サウンドエネルギーが、ラウドスピーカの表面から、フェイズプラグを通して、移動するための経路を提供してもよい。開口部はそれぞれ、第３の表面と、隣接する支持部材のうちの２つと、突起のうちの少なくとも２つとによって、形成されてもよい。また、第４の表面は、スピーカのサウンド発生表面に対向するように構成されてもよい。
【００２２】
別の実施例は、フェイズプラグをさらに含み、サウンドシステムからの指向性オーディオ性能を向上させる。フェイズプラグは、第１の第１の表面と、第２の表面とを含む、部材を含んでもよい。第１の表面と第２の表面との第１の合体物は、第１の部材の周縁を形成または画定する、第１の縁を形成する。第１の表面と第２の表面との第２の合体物は、突起を形成または画定する、内部縁を形成してもよく、突起は、アパーチャの境界または周縁を形成する。突起は、実質的に、円錐台の表面に適合してもよい。円錐台は、平坦域を形成する、天頂を有してもよい。アパーチャは、円錐台の天頂に、少なくとも１つの開口部を含んでもよい。アパーチャは、円錐台を通して、切片または楔を含み、中心軸を中心として対称であって、非対称数の花弁様部材を有する、花の花弁様構造を創出してもよい。切片はそれぞれ、隣接する対の突起間の円錐台の天頂において、開口部から放射状に広がってもよい。
【００２３】
加えて、第１の部材は、第２の表面から生じる、支持部材をさらに含んでもよい。第２の部材は、第３の表面と、第４の表面とを含んでもよい。第３の表面は、支持点を含んでもよく、各支持部材は、支持点のうちの１つに連結されてもよい。また、フェイズプラグは、アパーチャを含んでもよい。アパーチャはそれぞれ、第２の表面と、第３の表面と、複数の支持部材のうちの２つとによって形成されてもよく、複数の支持部材のうちの２つは、隣接する。
【００２４】
スピーカの指向性を向上させるためのフェイズプラグの別の実施例は、第１の部材と、第２の部材とを含む。第１の部材は、周辺縁を創出するように連結される、第１の表面と、第２の表面とを含んでもよい。また、第１および第２の表面は、合体物を含み、内側唇部を形成してもよい。内側唇部は、アパーチャを形成するように、３次元として輪郭を描かれた一式の実質的放物線湾曲縁によって形成される、アパーチャ縁を含んでもよい。アパーチャは、さらに、中心開口部から外向きに放射状に広がる楔形状開口部の輪郭を描く、またはそれを形成する、実質的放物線湾曲縁を有してもよい。
【００２５】
フェイズプラグの第２の部材は、第３の表面と、第４の表面とを含んでもよい。第３の表面は、実質的に、第２の表面に対向するように配向されてもよく、第３の表面と第４の表面との合体物は、周縁縁を形成する。
【００２６】
支持部材は、第１の部材と第２の部材とを連結してもよく、各支持部材は、第２の表面に取着される、第１の端部を含み、各支持部材は、第３の表面に取着される、第２の端部をさらに含む。第２および第３の表面は、孔隙または開口部によって分離され、フェイズプラグを通して、サウンドエネルギーの通過を可能にしてもよい。開口部はそれぞれ、第２の表面と、第３の表面と、支持部材のうちの２つとによって形成されてもよく、支持部材のうちの２つは、隣接し、各楔形状開口部は、開口部のうちの１つに向かって配向され、各楔形状開口部は、第２の部材の周縁縁を越えて突出する。
【００２７】
楔形状の配向および表面は、付加的チャネリング効果を提供し、オリフィスから生じるサウンドの指向性を向上させるように構成されてもよい。フェイズプラグのアパーチャは、有効断面領域を有してもよい。開口部はそれぞれ、開口部断面領域を有してもよい。開口部断面領域は、結合され、有効開口部断面領域を形成してもよい。アパーチャ有効断面領域および有効開口部断面領域は、サウンド発生表面の面積と比較して、異なる比率を含んでもよい。比率の調節は、空気雑音および他の歪曲効果を減少させ得る。
【００２８】
ある実施例では、開口部のそれぞれの開口部断面領域の和は、アパーチャの有効断面領域と略同一または等しい。アパーチャ有効断面領域および有効開口部断面領域は、圧縮または非圧縮比のいずれかに調節され、空気雑音を減少させてもよい。加えて、開口部断面領域の和は、サウンド発生表面より２乃至１０分の１の小ささであってもよい。代替として、開口部断面領域の和は、サウンドシステムの指向性、音力、および忠実性要件に応じて、サウンド発生表面と比較して、任意のサイズであってもよい。
【００２９】
別の実施例は、スピーカアセンブリの指向性性能を向上させるための音響レンズを含む。音響レンズは、第１の表面と、第２の表面とを含む、部材を含んでもよい。第１の表面と第２の表面とは、第１の縁を形成するように合体し、周縁を画定し、周縁は、取付特徴を含んでもよい。第１の表面と第２の表面とは、部材を通して、有効アパーチャを画定するように配列される、複数の穿孔を形成するようにさらに合体してもよい。部材は、有効アパーチャと、取付特徴との間にある、中実部分をさらに含んでもよく、中実部分の少なくとも一部は、実質的に、第１の平面上にある。
【００３０】
加えて、取付特徴は、第２の平面上にある、脚部特徴を含んでもよい。脚部特徴は、スピーカと嵌合し、スピーカと、部材の脚部特徴との間の実質的な気密シールを形成するように、適合されてもよい。有効アパーチャの一部は、尖部と、ドーム基部とを有するドーム表面を含んでもよく、尖部は、第１の平面上にあって、ドーム基部第３の平面に近接してあって、第３の平面は、第１の平面と第２の平面との間にある。部材は、ドーム表面のドーム基部と中実部分との間にある、実質的に円錐の区画をさらに含む。また、音響レンズの実質的に円錐の区画は、複数の穿孔の一部を含む、実質的に円錐の区画の少なくとも一部を含んでもよい。
【００３１】
また、音響レンズの複数の穿孔は、有効アパーチャの境界を形成するように配列されてもよく、有効アパーチャの外側境界は、星形形状、花形形状、および星様形状のうちの少なくとも１つを含む。代替として、または加えて、ドーム表面は、凸状ドームとして形成されてもよい。また、実質的に円錐の区画と凸状ドームとの間の接続は、輪郭または襞を形成してもよい。
【００３２】
音響レンズの別の実施例では、部材を通して、有効アパーチャを画定するように配列される、複数の穿孔は、有効アパーチャ内の中心に位置する、無孔部分を形成するようにさらに配列される。
【００３３】
スピーカアセンブリの指向性性能を向上させるための音響レンズは、第１の表面と、第２の表面とを含む、部材を含んでもよく、第１および第２の表面は、第１の合体物を創出するように合体する。第１の合体物は、内側唇部を形成し、オリフィスを囲繞する複数の突起を画定する。加えて、第１の表面と第２の表面とは、部材の周縁をさらに形成するように合体し、周縁は、取付特徴を含む。
【００３４】
取付特徴は、スピーカと嵌合し、スピーカと部材の脚部部分との間の実質的な気密シールを形成するように適合される、脚部部分を含んでもよい。突起はそれぞれ、突起の隣接する１つ外側輪郭と交差し、オリフィスの中心点に対して、複数の外側頂点を形成する、外側輪郭を含み、突起は、オリフィスの中心点に対して、内側に位置する頂点をさらに含む。
【００３５】
ある実施例では、複数の突起の内側頂点と、オリフィスの外側頂点とは、不規則な星形形状を形成するように結合する。外側頂点の第１の外側頂点は、オリフィスの中心点から第１の外側頂点距離に位置し、外側頂点の第２の外側頂点は、オリフィスの中心点から第２の外側頂点距離に位置する。加えて、複数の内側に位置する頂点の第１の内側に位置する頂点は、オリフィスの中心点から第１の距離に位置する一方、複数の内側に位置する頂点の第２の内側に位置する頂点は、オリフィスの中心点から第２の距離に位置する。
【００３６】
他の実施例では、第１の表面と第２の表面とは、複数の予備アパーチャの複数の周縁を形成するように合体してもよい。予備アパーチャのうちの少なくとも１つは、突起のうちの１つの一部内に位置してもよい。そうではない場合、予備アパーチャのうちの少なくとも１つは、予備アパーチャのうちの少なくとも１つの周縁内の複数の穿孔によって形成される、有効予備アパーチャであってもよい。予備アパーチャのうちの１つの周縁の１つ以上は、星様形態、花形様形態、または円形様形態の形状を有し得る、断面領域を画定する。代替として、予備アパーチャの周縁のうちの１つは、三角形様形状または円形様形状を含む、断面領域を画定してもよい。加えて、各断面アパーチャ表面積の和は、オリフィスおよび予備アパーチャのすべての結合された断面領域の和を通して判定された体積変位に関連してもよい。
【００３７】
音響レンズに嵌合される、スピーカのアセンブリは、スピーカの指向性および電力出力を向上させるように最適化されてもよい。音響レンズは、第１の表面と、第２の表面とを含んでもよい。第１の表面と第２の表面とは、内側唇部を形成するように合体し、音響レンズ内の中心に位置するオリフィスを画定してもよく、オリフィスは、主断面領域を含む。第１の表面と第２の表面とは、音響レンズの周縁を形成するようにさらに合体し、周縁は、取付特徴を含む。取付特徴は、スピーカと嵌合し、スピーカと音響レンズの脚部部分との間の実質的な気密シールを形成するように適合される、脚部部分を含んでもよい。加えて、第１の表面と第２の表面とは、複数の補助唇部を形成するようにさらに合体し、複数の補助アパーチャを画定する。
【００３８】
音響レンズの補助唇部は、補助アパーチャのそれぞれの断面領域を画定してもよく、補助アパーチャのそれぞれの断面領域は、三角形様形状を含む。三角形様形状は、基部と、頂点とを含んでもよい。補助アパーチャはそれぞれ、三角形様形状の頂点をオリフィスの最近接に位置させ、音響レンズの周縁の最近接に位置させるように配向されてもよい。補助唇部は、補助アパーチャのそれぞれの断面領域を画定してもよく、補助アパーチャは、オリフィスの内側唇部の周囲に均一分散される。音響レンズの補助唇部は、補助アパーチャのそれぞれの断面領域を画定してもよい。補助アパーチャすべての断面領域は、等しくてもよい。
【００３９】
アセンブリのスピーカは、ダイヤフラムを含んでもよい。補助唇部の断面領域の和は、歪曲および挿入損失を最小限にするように、オリフィスの断面領域と、ダイヤフラムの体積変位とに基づいて選択されてもよい。加えて、オリフィスの断面領域は、スピーカのダイヤフラムの体積変位に基づいて、選択されてもよい。
【００４０】
スピーカアセンブリの指向性性能および周波数応答を向上させるための別の音響レンズは、スピーカと、スピーカに嵌合される音響レンズとを含む。音響レンズは、第１の表面と、第２の表面とを含んでもよい。第１の表面と第２の表面とは、第１の縁を形成するように合体し、周縁を画定してもよく、周縁は、取付特徴を含む。また、第１および第２の表面は、音響レンズを通して、有効アパーチャを画定するように配列される、複数の穿孔を形成するように合体してもよい。また、音響レンズは、有効アパーチャと取付特徴との間にある、中実部分を含んでもよく、中実部分の少なくとも一部は、実質的に、第１の平面上にある。音響レンズの取付特徴は、第２の平面上にある、脚部特徴を含んでもよい。脚部特徴は、スピーカと嵌合し、スピーカと音響レンズの脚部特徴との間の実質的な気密シールを形成するように適合される。また、有効アパーチャの一部は、尖部と、ドーム基部とを有する、凸状ドーム表面を含んでもよく、尖部は、第１の平面に近接してあって、凸状ドーム基部は、第３の平面に近接してあって、第３の平面は、第１の平面と第２の平面との間にある。
【００４１】
音響レンズは、ドーム表面の凸状ドーム基部と、有効アパーチャを囲繞する中実部分との間にある、実質的に円錐の区画をさらに含んでもよい。実質的に円錐の区画のうちの少なくとも一部は、複数の穿孔の一部を含んでもよい。複数の穿孔は、有効アパーチャの境界を形成するように配列されてもよく、有効アパーチャの外側境界は、星形形状、花形形状、および星様形状のうちの少なくとも１つを含む。
【００４２】
別のスピーカアセンブリは、スピーカと、音響レンズとを含んでもよい。スピーカは、取付リングと、ダイヤフラムとを含んでもよく、スピーカは、ダイヤフラムの体積変位「Ｖｄ」を含み、体積変位は、ダイヤフラムの移動によって変位させられる、空気の体積である。音響レンズは、断面アパーチャ表面積「Ｓ」を有する、中心に位置するアパーチャを含み、音響レンズは、スピーカの取付リングに嵌合され、実質的な気密シールを形成する。スピーカの断面アパーチャ表面積は、ある周波数範囲内のスピーカに対して、音響レンズの所望の音圧レベル（ＳＰＬ）挿入損失ＩＬを得るように構成されてもよく、所望の周波数範囲内において、挿入損失
【００４３】
【数１】
0005268203.tif 000002
【００４４】
［単位：ｄＢ］である。
【００４５】
放射スピーカの向上した指向性性能のための別のスピーカアセンブリは、スピーカと、音響レンズとを含んでもよい。音響レンズは、第１の表面と、第２の表面とを含んでもよく、第１の表面と第２の表面とは、音響レンズの周縁を形成するように合体する。音響レンズの周縁は、取付特徴を含んでもよく、音響レンズは、取付特徴に嵌合され、スピーカと音響レンズとの間の実質的な気密シールを形成する。加えて、第１の表面と第２の表面とは、実質的に、音響レンズの中心位置内に位置する、アパーチャの周縁を画定するように合体する。音響レンズの中心位置は、スピーカのサウンド生成表面上の略中心に位置してもよい。
【００４６】
音響レンズの有効アパーチャは、音響レンズを通して、有効アパーチャの周縁を画定するように配列される、複数の穿孔を含んでもよい。音響レンズの有効アパーチャの周縁は、星形形状形態を形成してもよい。
【００４７】
本発明の他のシステム、方法、および利点は、以下の図および発明を実施するための形態を検討することによって、当業者には明白である、または明白となるであろう。そのような付加的システム、方法、特徴、および利点はすべて、本説明内に含まれ、本発明の範囲内にあって、以下の請求項によって保護されることが意図される。
（項目１）
スピーカアセンブリの指向性性能を向上させるための装置であって、
第１の表面および第２の表面を含む、部材を備えており、
該第１の表面と該第２の表面とが、第１の縁を形成するように合体して、周縁を画定し、該周縁は、取付特徴を含み、
該第１の表面および該第２の表面は、該部材を通る有効アパーチャを画定するように配列される複数の穿孔を形成するようにさらに合体し、
該部材は、該有効アパーチャと該取付特徴との間にある中実部分をさらに含み、該中実部分の少なくとも一部は、実質的に第１の平面上にあり、
該取付特徴は、第２の平面上にある脚部特徴を含み、該脚部特徴は、スピーカと嵌合して、該スピーカと該部材の脚部特徴との間に実質的な気密シールを形成するように適合され、
該有効アパーチャの一部は、尖部およびドーム基部を有するドーム表面を含み、該尖部は、該第１の平面上にあり、該ドーム基部は、第３の平面に近接してあり、該第３の平面は、該第１の平面と該第２の平面との間にあり、
該部材は、該ドーム表面の該ドーム基部と該中実部分との間にある実質的に円錐の区画をさらに含む、装置。
（項目２）
前記実質的に円錐の区画の少なくとも一部は、前記複数の穿孔の一部を含む、項目１に記載の装置。
（項目３）
前記複数の穿孔は、前記有効アパーチャの境界を形成するように配列され、該有効アパーチャの外側境界は、星形形状、花形形状、および星様形状のうちの少なくとも１つを含む、項目１−２に記載の装置。
（項目４）
前記ドーム表面は、凸状ドームとして形成され、前記実質的に円錐の区画と該凸状ドームとの間の接続は、襞を形成する、項目１−３に記載の装置。
（項目５）
前記部材を通る前記有効アパーチャを画定するように配列される前記複数の穿孔は、該有効アパーチャ内の中心に位置する無孔部分を形成するようにさらに配列される、項目１−４に記載の装置。
（項目６）
スピーカアセンブリの指向性性能を向上させるための装置であって、
第１の表面および第２の表面を含む部材を備えており、
該部材は、該第１の表面と該第２の表面との第１の合体物をさらに含み、該第１の合体物は、オリフィスを囲繞する複数の突起を画定するように内側唇部を形成し、
該第１の表面と前記第２の表面とは、該部材の周縁を形成するようにさらに合体し、該周縁は、取付特徴を含み、
該取付特徴は、スピーカと嵌合し、該スピーカと該部材の脚部部分との間の実質的な気密シールを形成するように適合される脚部部分を含み、
該複数の突起の各々は、該複数の突起のうちの隣接する１つの突起の外側輪郭と交差して、該オリフィスの中心点に対して、複数の外側頂点を形成する外側輪郭を含み、
該突起は、該オリフィスの中心点に対して、内側に位置する頂点をさらに含む、装置。
（項目７）
前記複数の突起の内側頂点と、前記オリフィスの外側頂点とは、不規則な星形形状を形成するように結合する、項目６に記載の装置。
（項目８）
前記外側頂点のうちの第１の外側頂点は、前記オリフィスの中心点から第１の外側頂点距離に位置し、
該外側頂点のうちの第２の外側頂点は、該オリフィスの中心点から第２の外側頂点距離に位置する、項目６−７に記載の装置。
（項目９）
前記複数の内側に位置する頂点のうちの第１の内側に位置する頂点は、前記オリフィスの中心点から第１の距離に位置し、
該複数の内側に位置する頂点のうちの第２の内側に位置する頂点は、該オリフィスの中心点から第２の距離に位置する、項目６−８に記載の装置。
（項目１０）
前記複数の内側に位置する頂点のうちの第１の内側に位置する頂点は、前記オリフィスの中心点から第１の距離に位置し、
該複数の内側に位置する頂点のうちの第２の内側に位置する頂点は、該オリフィスの中心点から第２の距離に位置する、項目６−９に記載の装置。
（項目１１）
前記第１の表面と前記第２の表面とは、複数の予備アパーチャの複数の周縁を形成するように合体する、項目６−１０に記載の装置。
（項目１２）
前記予備アパーチャのうちの少なくとも１つは、前記突起のうちの１つの一部の中に位置する、項目１１に記載の装置。
（項目１３）
前記予備アパーチャのうちの少なくとも１つは、該予備アパーチャのうちの該少なくとも１つの周縁内の複数の穿孔によって形成される有効予備アパーチャである、項目１１−１２に記載の装置。
（項目１４）
前記予備アパーチャのうちの少なくとも１つの周縁のうちの少なくとも１つは、星様形態、花形様形態、および円形様形態のうちの少なくとも１つの形状を有する断面領域を画定する、項目１１−１３に記載の装置。
（項目１５）
前記予備アパーチャのうちの少なくとも１つの周縁のうちの少なくとも１つは、三角形様形状および円形様形状のうちの少なくとも１つを含む、断面領域を画定する、項目１１−１４に記載の装置。
（項目１６）
各予備アパーチャは、断面アパーチャ表面積を含み、
各断面アパーチャ表面積の和は、前記オリフィスおよび該予備アパーチャのすべての結合された断面領域の和を介して判定された体積変位に関連する、項目１１−１５に記載の装置。
（項目１７）
スピーカと、
該スピーカに嵌合される音響レンズであって、第１の表面および第２の表面を含む、音響レンズと
を備えており、
該第１の表面と該第２の表面とは、内側唇部を形成するように合体して、該音響レンズ内の中心に位置するオリフィスを画定し、該オリフィスは、主断面領域を含み、
該第１の表面と該第２の表面とは、該音響レンズの周縁を形成するようにさらに合体し、該周縁は、取付特徴を含み、
該取付特徴は、脚部部分を含み、該脚部部分は、該スピーカと嵌合して、該スピーカと該音響レンズの脚部部分との間の実質的な気密シールを形成するように適合され、
該第１の表面と該第２の表面とは、複数の補助唇部を形成するようにさらに合体して、複数の補助アパーチャを画定する、アセンブリ。
（項目１８）
前記補助唇部は、前記補助アパーチャの各々の断面領域を画定し、該補助アパーチャの各々の断面領域は、三角形様形状を含む、項目１７に記載の装置。
（項目１９）
前記三角形様形状は、基部および頂点を含み、
前記補助アパーチャの各々は、前記オリフィスに最も近くに該三角形様形状の頂点を配置し、前記音響レンズの周縁に最も近くに該三角形様形状の基部を配置する、項目１７−１８に記載の装置。
（項目２０）
前記補助唇部は、前記補助アパーチャの各々の断面領域を画定し、該補助アパーチャは、前記オリフィスの前記内側唇部の周りに均一に分散される、項目１７−１９に記載の装置。
（項目２１）
前記補助唇部は、前記補助アパーチャの各々の断面領域を画定し、
すべての該補助アパーチャの断面領域は、等しい、項目１７−２０に記載の装置。
（項目２２）
前記スピーカは、ダイヤフラムを含み、
前記補助唇部は、前記補助アパーチャの各々に対して断面領域を画定し、
該補助唇部の断面領域の和は、前記オリフィスの断面領域および該ダイヤフラムの体積変位に基づいて選択される、項目１７−２１に記載の装置。
（項目２３）
前記オリフィスの主断面領域は、前記スピーカのダイヤフラムの体積変位に基づいて、選択される、項目１７−２２に記載の装置。
（項目２４）
スピーカアセンブリの指向性性能を向上させる装置であって、
スピーカと、
該スピーカに嵌合する音響レンズであって、第１の表面および第２の表面を含む、音響レンズと
を備えており、該音響レンズは、周縁を画定する第１の縁を形成する、該第１の表面と該第２の表面との第１の合体物をさらに含み、該周縁は、取付特徴を含み、
該第１の表面と該第２の表面とは、該音響レンズを通る有効アパーチャを画定するように配列される、複数の穿孔を形成するように合体し、
該音響レンズは、該有効アパーチャと該取付特徴との間にある、中実部分をさらに含み、該中実部分の少なくとも一部は、実質的に第１の平面上にあり、
該取付特徴は、第２の平面上にある脚部特徴を含み、該脚部特徴は、該スピーカと嵌合し、該スピーカと該音響レンズの脚部特徴との間に実質的な気密シールを形成するように適合され、
該有効アパーチャの一部は、尖部およびドーム基部を有する凸状ドーム表面を含み、該尖部は、該第１の平面に近接してあり、該凸状ドーム基部は、第３の平面に近接してあり、該第３の平面は、該第１の平面と該第２の平面との間にあり、
該音響レンズは、該ドーム表面の凸状ドーム基部と該有効アパーチャを囲繞する中実部分との間にある、実質的に円錐の区画をさらに含む、装置。
（項目２５）
前記実質的に円錐の区画の少なくとも一部は、前記複数の穿孔の一部を含む、項目２４に記載の装置。
（項目２６）
前記複数の穿孔は、前記有効アパーチャの境界を形成するように配列され、該有効アパーチャの外側境界は、星形形状、花形形状、および星様形状のうちの少なくとも１つを含む、項目２４に記載の装置。
（項目２７）
取付リングおよびダイヤフラムを含むスピーカであって、該スピーカは、該ダイヤフラムの体積変位「Ｖｄ」を含み、該体積変位は、該ダイヤフラムの移動によって変位させられる空気の体積である、スピーカと、
断面アパーチャ表面積「Ｓ」を有する、中心に位置するアパーチャを含む音響レンズであって、該スピーカの取付リングに嵌合し、実質的な気密シールを形成する、音響レンズと
を備えており、該スピーカの該断面アパーチャ表面積は、ある周波数範囲内の該スピーカに対して、該音響レンズの所望の挿入損失「ＩＬ」を得るように構成され、挿入損失は、該周波数範囲内において、
【数９】
0005268203.tif 000003
である、装置。
（項目２８）
前記音響レンズの挿入損失は、０．５ｄＢ以下である、項目２７に記載の装置。
（項目２９）
前記音響レンズの挿入損失は、１ｄＢ未満であって、該音響レンズは、複数の補助アパーチャをさらに含み、該補助アパーチャの各々は、表面積「Ｓｓ」を含み、前記スピーカの体積変位「Ｖｄ」と、全表面積「Ｓｓ」とＳとの組み合わせとの最大比は、１０未満の圧縮比を画定する、項目２７に記載の装置。
（項目３０）
放射スピーカの向上した指向性性能のためのアセンブリであって、
スピーカと、
第１の表面および第２の表面を含む、音響レンズと
を備えており、該第１の表面と該第２の表面とは、該音響レンズの周縁を形成するように合体し、
該音響レンズの周縁は、取付特徴を含み、該音響レンズは、該取付特徴に嵌合し、該スピーカと該音響レンズとの間に実質的な気密シールを形成し、
該第１の表面と該第２の表面とは、実質的に該音響レンズの中心位置に位置する、アパーチャの周縁を画定するように合体する、アセンブリ。
（項目３１）
前記スピーカは、サウンド生成表面を含み、前記音響レンズの中心位置は、該スピーカのサウンド生成表面上の略中心に位置する、項目３０に記載のアセンブリ。
（項目３２）
前記音響レンズのアパーチャは、有効アパーチャであって、該有効アパーチャは、該音響レンズを通る該有効アパーチャの周縁を画定するように配列される、複数の穿孔を含む、項目３０に記載のアセンブリ。
（項目３３）
前記音響レンズの有効アパーチャの周縁は、星形形状形態として形成される、項目３０に記載のアセンブリ。
（項目３４）
サウンドシステムからの指向性オーディオ性能を向上させる装置であって、
取付特徴およびサウンド発生表面を含む、ラウドスピーカと、
該ラウドスピーカの取付特徴に取り付けられるフェイズプラグであって、第１の部材および第２の部材を含み、
該第１の部材は、第１の表面、第２の表面、および該第１の部材の周縁を画定する第１の縁を含み、該第１の表面と該第２の表面とは、オリフィスの周りに花弁を画定する内側唇部を形成するように合体し、
該第２の表面は、該オリフィスを囲繞する突起をさらに含み、該第１の部材は、該第２の表面から突出する支持部材をさらに含み、各支持部材は、該花弁のうちの１つに取着され、
該第２の部材は、第３の表面および第４の表面を含み、該第３の表面は、該オリフィスに向かって配向される天頂を有する、突出部を含み、
該第３の表面は、支持点をさらに含み、各支持部材は、該第２の表面が、該第３の表面に直面するように該支持点のうちの１つに連結され、該花弁の各々は、該第３の表面から離れる撓みを含み、
該第４の表面は、該第４の表面の実質的に中心にある陥凹の周縁を画定する、面取りを施した縁を含み、該第４の表面は、該スピーカのサウンド発生表面に対向するように配向され、
該複数の突起の各々は、第１の突起面および第２の突起面を含み、各第１の突起面は、該スピーカの該サウンド生成表面に対向するように面取りが施され、各第２の突起面は、該第３の表面に実質的に対向するように面取りが施され、
該第２の表面は、チャネルをさらに含み、各チャネルは、該複数の突起のうちの２つの間に配置される、フェイズプラグと、
該サウンド生成表面に対向するように配向される開口部であって、各開口部は、該第２の表面、該第３の表面、および該支持部材のうちの２つによって形成され、該支持部のうちの１つは隣接し、該開口部の各々は、断面領域を形成し、該開口部のうちの少なくとも１つの断面領域は、該開口部の別の断面領域と異なる、開口部と
を備える、装置。
（項目３５）
前記花弁のうちの１つへの各支持部材の取着は、該花弁上で歪曲されるかまたは偏移される、項目３４に記載の装置。
（項目３６）
前記突出部の天頂は、前記第１の表面の第１のレベルを上回る、項目３５に記載の装置。
（項目３７）
前記突出部は、実質的に円錐形である、項目３５に記載の装置。
（項目３８）
前記オリフィスは、星形として成形される断面を含む、項目３４に記載の装置。
（項目３９）
各第２の突起面は、前記第２の表面の内側部分を画定する内側縁を有し、前記星形形状断面は、頂点を含み、各頂点は、該第２の表面の内側周縁を越えて突出する、項目３８に記載の装置。
（項目４０）
少なくとも１つの頂点は、前記突起のうちの１つの第２の突起面内に突出する、項目３９に記載の装置。
（項目４１）
前記花弁のうちの１つに取着される各支持部材はまた、前記複数の突起のうちの１つにも対称的に取着される、項目３４に記載の装置。
（項目４２）
サウンドシステムからの指向性オーディオ性能を向上させるフェイズプラグであって、
第１の第１の表面および第２の表面を含む、第１の部材と、
該第１の部材の周縁を形成する第１の縁であって、該第１の表面と第２の表面との第１の合体物は、該第１の縁を形成する、第１の縁と、
オリフィスの周囲に突起を形成するように内側唇部を形成する、該第１の表面と第２の表面との第２の合体物であって、各突起は、該オリフィスの区画の輪郭を描く縁および各突起の交点を含み、隣接する突起のうちの１つは、該区画の頂点の１つの輪郭をさらに描き、該第１の部材は、該第２の表面から生じる支持部材をさらに含む、第１の表面と第２の表面との第２の合体物と、
第３の表面および第４の表面を含む第２の部材であって、該第３の表面は、該第２の表面に対向し、該第３の表面は、支持位置によって囲繞されるドーム特徴を含み、各支持部材は、該支持位置のうちの１つにおいて、該第３の表面に連結され、該突起の各々は、該第３の表面から離れる撓みを含む、第２の部材と、
アパーチャであって、該第２の表面、該第３の表面、および該複数の支持部材のうちの２つの組み合わせによって形成され、該複数の支持部材のうちの２つは隣接している、アパーチャと
を備えており、該区画のうちの１つの各頂点は、該アパーチャのうちの１つと連繋され、
少なくとも１つの区画は、該少なくとも１つの区画と連繋される、該アパーチャのうちの１つと対称的に整列している、フェイズプラグ。
（項目４３）
サウンドシステムからの指向性オーディオ性能を向上させる装置であって、
取付特徴およびサウンド発生表面を含む、ラウドスピーカと、
該ラウドスピーカの取付特徴に取着されるフェイズプラグであって、
第１の部材および第２の部材を含み、該第１の部材は、第１の表面および第２の表面を含み、該第１の表面と第２の表面との第１の合体物は、周縁を形成し、該第１の表面と該第２の表面との第２の合体物は、オリフィスの周囲に突出部を画定するように内側唇部を形成し、
該第２の表面は、該オリフィスを中心として配置される突起をさらに含み、該第１の部材は、該第２の表面から突出する支持部材をさらに含み、
該第２の部材は、第３の表面および第４の表面を含み、該第３の表面は、支持位置をさらに含み、各支持部材は、該支持位置のうちの１つに連結される、フェイズプラグと、
該スピーカのサウンド発生表面に対向するように配向される開口部であって、各開口部は、該オリフィスと連絡し、各開口部は、該第３の表面、隣接する該支持部材のうちの２つ、および該突出部のうちの少なくとも２つによって形成され、
該第４の表面は、該スピーカのサウンド発生表面に対向するように構成される、開口部と
を備える、装置。
（項目４４）
サウンドシステムからの指向性オーディオ性能を向上させるフェイズプラグであって、
第１の表面および第２の表面を含む第１の部材であって、該第１の表面と第２の表面との第１の合体物は、該第１の部材の周縁を形成する第１の縁を形成し、該第１の表面と該第２の表面との第２の合体物は、突起を形成する内部縁を形成し、該複数の突起は、アパーチャの境界を形成し、該突起は、天頂を有する円錐台の表面に実質的に適合し、該アパーチャは、該円錐台の天頂における開口部および該円錐台を通る区画を含み、各区画は、隣接する対の該突起間の該円錐台の天頂における該開口部から放射状に広がり、該第１の部材は、該第２の表面から生じる支持部材をさらに含む、第１の部材と、
第３の表面および第４の表面を含む第２の部材であって、該第３の表面は、支持点を含み、各支持部材は、該支持点のうちの１つに連結される、第２の部材と、
アパーチャであって、各アパーチャは、該第２の表面、該第３の表面、および複数の支持部材のうちの２つによって形成され、該複数の支持部材のうちの２つは、隣接している、アパーチャと
を備える、フェイズプラグ。
（項目４５）
スピーカの指向性応答を向上させるフェイズプラグであって、
第１の表面および第２の表面を含む第１の部材であって、該第１の表面と第２の表面とは、周辺縁を創出するように連結し、該第１の表面と第２の表面との合体物は、内側唇部を形成し、該内側唇部は、アパーチャを形成するように３次元で輪郭が描かれる一式の実質的に放物線の湾曲縁によって形成されるアパーチャ縁を含み、実質的に放物線の湾曲縁は、中心開口部から外向きに放射状に広がる楔形状開口部の輪郭をさらに描く、第１の部材と、
第３の表面および第４の表面を含む第２の部材であって、該第３の表面は、該第２の表面に実質的に対向するように配向され、該第３の表面と前記第４の表面との合体物は、周縁を形成する、第２の部材と、
支持部材であって、各支持部材は、該第２の表面に取着される第１の端部を含み、各支持部材は、該第３の表面に取着される第２の端部をさらに含む、支持部材と、
開口部であって、該開口部は、該第２の表面、該第３の表面、該支持部材のうちの２つによって形成され、該支持部材のうちの２つは隣接している、開口部と
を備える、フェイズプラグ。
（項目４６）
各楔形状開口部は、前記開口部のうちの１つに向かって配向され、各楔形状開口部は、前記第２の部材の周縁縁を越えて突出する、項目４５に記載のフェイズプラグ。
（項目４７）
前記アパーチャは、有効断面領域を有し、前記開口部の各々は、開口部断面領域を有し、
該開口部の各々の開口部断面領域の和は、該アパーチャの有効断面領域と略同一である、項目４５に記載のフェイズプラグ。
（項目４８）
前記開口部の各々の断面領域は、略等しい、項目４５に記載のフェイズプラグ。
（項目４９）
前記開口部の第１の開口部は、第１の断面領域を有し、該開口部の第２の開口部は、第２の断面領域を有し、
該第１の断面領域は、該第２の断面領域より小さい、
項目４５に記載のフェイズプラグ。
【図面の簡単な説明】
【００４８】
本発明は、以下の図面および説明を参照することによって、より深く理解されるであろう。図中の構成要素は、必ずしも正確な縮尺ではなく、代わりに、本発明の原理を例示するために、強調されて描かれている。さらに、図中、同一参照番号は、異なる図を通して、対応する部品を指す。
【図１】図１は、フェイズプラグの実施例の上部の斜視図を図示する。
【図２】図２は、図１に示される、フェイズプラグの実施例の上部の斜視図をさらに図示する。
【図３】図３は、図１および２に示される、フェイズプラグの実施例の上部の斜視図をさらに図示する。
【図４】図４は、フェイズプラグの実施例の裁断斜視図を図示する。
【図５】図５は、図１に示される、フェイズプラグの実施例の底面を図示する。
【図６】図６は、フェイズプラグの実施例の部材の底面図を図示する。
【図７】図７は、図６に示される、フェイズプラグの実施例の部材の底面図をさらに図示する。
【図８】図８は、図６および７に示される、フェイズプラグの実施例の部材の底面図を図示する。
【図９】図９は、図１、４、５、および６に示される、フェイズプラグの実施例の断面図を図示する。
【図１０】図１０は、図１、４、５、６、および９に示される、フェイズプラグの実施例の断面図を図示する。
【図１１】図１１は、フェイズプラグの実施例の上面図を図示する。
【図１２】図１２は、フェイズプラグの部材の実施例の上面図を図示する。
【図１３】図１３は、フェイズプラグの部材の実施例の底面図を図示する。
【図１４】図１４は、フェイズプラグの部材の実施例の側面図を図示する。
【図１５】図１５は、図１４に図示される、フェイズプラグの部材の実施例の側面図をさらに図示する。
【図１６】図１６は、図１４および１５に図示される、フェイズプラグの部材の実施例の側面図を図示する。
【図１７】図１７は、図１４、１５、および１６に図示される、フェイズプラグの部材の実施例の側面図を図示する。
【図１８】図１８は、フェイズプラグの実施例の底面の斜視図を図示する。
【図１９】図１９は、フェイズプラグと、スピーカとを含む、アセンブリの実施例の断面図を図示する。
【図２０】図２０は、音響レンズの実施例の上面図および断面図を図示する。
【図２１】図２１は、音響レンズの別の実施例の上面図および断面図を図示する。
【図２２】図２２は、音響レンズの別の実施例の上面図および断面図を図示する。
【図２３】図２３は、音響レンズの別の実施例の上面図および断面図を図示する。
【図２４】図２４は、音響レンズの別の実施例の上面図および断面図を図示する。
【図２５】図２５は、音響レンズの別の実施例の上面図および断面図を図示する。
【図２６】図２６は、フェイズプラグの別の実施例の上面図および断面図を図示する。
【図２７】図２７は、フェイズプラグの別の実施例の上面図および断面図を図示する。
【図２８】図２８は、フェイズプラグの別の実施例の上面図および断面図を図示する。
【図２９】図２９は、フェイズプラグの別の実施例の上面図および断面図を図示する。
【図３０】図３０は、フェイズプラグの別の実施例の上面図および断面図を図示する。
【図３１】図３１は、フェイズプラグの別の実施例の上面図および断面図を図示する。
【図３２】図３２は、音響レンズ３２００の実施例の斜視図を図示する。
【図３３】図３３は、図３２に示される音響レンズに類似する、音響レンズの実施例の断面図および上面図をさらに図示する。
【図３４】図３４は、図３２および３３に図示される音響レンズに類似する、音響レンズの実施例の側面図および底面図を図示する。
【図３５】図３５は、図３２、３３、および３４に図示される音響レンズに類似する音響レンズを含む、アセンブリの一実施例の斜視図を図示する。
【図３６】図３６は、音響レンズの実施例の斜視図を図示する。
【図３７】図３７は、図３６に図示される音響レンズに類似する、音響レンズの実施例の上面図および断面図をさらに図示する。
【図３８】図３８は、図３６および３７に図示される音響レンズに類似する、音響レンズの実施例の側面図および底面図を図示する。
【図３９】図３９は、スピーカと嵌合される、図３６、３７、および３８に示される音響レンズの実施例である、音響レンズを含む、アセンブリの斜視図を図示する。
【図４０】図４０は、音響レンズの実施例の斜視図を図示する。
【図４１】図４１は、図４０に示される、音響レンズの実施例の上面図および断面図を図示する。
【図４２】図４２は、図４０および４１に示される、音響レンズの実施例の底面図および側面図を図示する。
【図４３】図４３は、図４０、４１、および４２に示される、音響レンズの実施例の上面図および断面図をさらに図示する。
【図４４】図４４は、スピーカの実施例と嵌合される、図４０、４１、４２、および４３に図示される、音響レンズの実施例を含む、アセンブリの斜視図を図示する。
【図４５】図４５は、図４４に図示される、アセンブリの実施例の断面図を図示する。
【図４６】図４６は、図３６−４５および図２７に図示される音響レンズの実施例に類似する、音響レンズの実施例の上面図を図示する。
【図４７】図４７は、図３６−３９および図２７に図示される音響レンズの実施例に類似する、音響レンズの実施例の上面図を図示する。
【図４８】図４８は、音響レンズを伴わないスピーカおよび音響レンズを伴う同一スピーカからの音圧レベル（ＳＰＬ）、電力ワットレベル（ＰＷＬ）、および指向性指数（ＤＩ）データを図示する。
【図４９】図４９は、比較的高挿入損失を伴うフェイズプラグおよび比較的低挿入損失を伴う音響レンズの実施例の挿入損失を図示する。
【図５０Ａ】図５０Ａおよび５０Ｂは、音響レンズを伴わないスピーカ（５０Ｂ）および音響レンズを伴う同一スピーカ（５０Ａ）からの正規化極性応答データを図示する。
【図５０Ｂ】図５０Ａおよび５０Ｂは、音響レンズを伴わないスピーカ（５０Ｂ）および音響レンズを伴う同一スピーカ（５０Ａ）からの正規化極性応答データを図示する。
【図５１Ａ】図５１Ａおよび５１Ｂは、音響レンズを伴わないスピーカ（５１Ｂ）および音響レンズを伴う同一スピーカ（５１Ａ）からの軸外音圧レベル（ＳＰＬ）データを図示する。
【図５１Ｂ】図５１Ａおよび５１Ｂは、音響レンズを伴わないスピーカ（５１Ｂ）および音響レンズを伴う同一スピーカ（５１Ａ）からの軸外音圧レベル（ＳＰＬ）データを図示する。
【図５２】図５２は、比較的高い歪曲を伴うフェイズプラグおよび比較的低歪曲を伴う音響レンズの実施例の歪曲効果を図示する。
【図５３】図５３は、音響レンズを伴わないスピーカおよび音響レンズを伴う同一スピーカからの音圧レベル（ＳＰＬ）、電力ワットレベル（ＰＷＬ）、および指向性指数（ＤＩ）データを図示する。
【図５４】図５４は、図３５のアセンブリの断面図の実施例と、実施例磁気的伝導性音響レンズを通過する戻り磁束線を図示する。
【発明を実施するための形態】
【００４９】
フェイズプラグは、従来可能であったものより広帯域幅にわたって、低い指向性を達成する方法を提供し得る。より低い指向性は、車両等の聴取面積内の各聴取位置において、略同一の音調平衡を有する、自動車用サウンドシステム設計等のサウンドシステム設計を可能にし得る。代替として、フェイズプラグを使用して特定の聴取位置における音調平衡を向上させ得る。
【００５０】
ラウドスピーカの指向性の向上は、ラウドスピーカのダイヤフラムの正面にフェイズプラグを配置することによって得られ得る。サウンドは、ラウドスピーカのダイヤフラムから放射状に広がり、フェイズプラグ内の複数の離間スロットを通過し、ダイヤフラムから囲繞環境へとサウンドを伝達する。サウンドをホーン内へと指向させるフェイズプラグの従来の用途とは異なり、サウンドエネルギーは、ホーンを伴わずに、フェイズプラグから周囲環境中へと放射状に広がる。
【００５１】
図１−６では、フェイズプラグ１００は、第１の部材１０２と、第２の部材１０４とを含む。第１の部材１０２は、第１の表面１０６を含む。第１の部材１０２は、第２の表面４０６を含む（図４の第２の表面４０６は、以下に詳述される）。第２の部材１０４は、第３の表面１１０を含む。第２の部材１０４は、第４の表面４１０をさらに含む（同様に、図４）。図１では、第１の部材１０２および第２の部材１０４は、第１の支持部材１１２と、第２の支持部材５０２（図５）と、第３の支持部材５０４（図５）と、第４の支持部材１１４と、第５の支持部材１１６とによって連結される。
【００５２】
第１の表面１０６と図４の第２の表面４０６との第１の合体物は、外側周縁縁１０８を創出する。また、第１の表面１０６と第２の表面４０６の第２の合体物は、内縁または唇部１２０を形成する。唇部１２０は、第１の花弁１３０、第２の花弁１３２、第３の花弁１３４、第４の花弁１３６、および第５の花弁１３８の周縁を形成する、３次元湾曲表面を含む。
【００５３】
第１の花弁１３０は、第１の花弁縁２１０と、第１の撓み２１２と、第２の撓み２１４とを含む。第１の花弁１３０の第１の撓み２１２、第２の撓み２１４、および第１の花弁縁２１０は、第１の花弁表面２１６を包囲する。第１の花弁１３０の第１の花弁縁２１０および第２の撓み２１４は、第２の花弁縁２１８を包囲する。第１の花弁１３０は、略第２の花弁表面２１８の位置に天頂を有してもよい。
【００５４】
第２の花弁１３２は、第１の花弁縁２２０と、第１の撓み２２２と、第２の撓み２２４とを含む。第２の花弁１３２の第１の撓み２２２、第２の撓み２２４、および第１の花弁縁２２０は、第１の花弁表面２２６を包囲する。第２の花弁１３２の第１の花弁縁２２０および第２の撓み２２４は、第２の花弁表面２２８を包囲する。第２の花弁１３２は、略第２の花弁表面２２８の位置に天頂を有してもよい。
【００５５】
第３の花弁１３４は、第１の花弁縁２３０と、第１の撓み２３２と、第２の撓み２３４とを含む。第３の花弁１３４の第１の撓み２３２、第２の撓み２３４、および第１の花弁縁２３０は、第１の花弁表面２３６を包囲する。第３の花弁１３４の第１の花弁縁２３０および第２の撓み２３４は、第２の花弁表面２３８を包囲する。第３の花弁１３４は、略第２の花弁表面２３８の位置に天頂を有してもよい。
【００５６】
第４の花弁１３６は、第１の花弁縁２４０と、第１の撓み２４２と、第２の撓み２４４とを含む。第４の花弁１３６の第１の撓み２４２、第２の撓み２４４、および第１の花弁縁２４０は、第１の花弁表面２４６を包囲する。第４の花弁１３６の第１の花弁縁２４０および第２の撓み２４４は、第２の花弁表面２４８を包囲する。第４の花弁１３６は、略第２の花弁表面２４８の位置に天頂を有してもよい。
【００５７】
第５の花弁１３８は、第１の花弁縁２５０と、第１の撓み２５２と、第２の撓み２５４とを含む。第５の花弁１３８の第１の撓み２５２、第２の撓み２５４、および第１の花弁縁２５０は、第１の花弁表面２５６を包囲する。第５の花弁１３８の第１の花弁縁２５０および第２の撓み２５４は、第２の花弁表面２５８を包囲する。第５の花弁１３８は、略第２の花弁表面２５８の位置に天頂を有してもよい。
【００５８】
第１の支持部材１１２は、第１の花弁１３０の内表面に流動的に連結されてもよい。第５の支持部材１１６は、第５の花弁１３８の内表面に流動的に連結されてもよい。第４の支持部材１１４は、第４の花弁１３６の内表面に流動的に連結されてもよい。第３の支持部材５０４は、第３の花弁１３４の内表面に流動的に連結されてもよい。第２の支持部材５０２は、第２の花弁１３２の内表面に流動的に連結されてもよい。
【００５９】
第１の花弁縁２１０および第２の花弁縁２２０は、第１の切り欠き３１０を形成するように交差する。第２の花弁縁２２０および第３の花弁縁２３０は、第２の切り欠き３２０を形成するように交差する。第３の花弁縁２３０および第４の花弁縁２４０は、第３の切り欠き３３０を形成するように交差する。第４の花弁縁２４０および第５の花弁縁２５０は、第４の切り欠き３４０を形成するように交差する。第５の花弁縁２５０および第１の花弁縁２１０は、第３の切り欠き３５０を形成するように交差する。
【００６０】
縁または唇部１２０は、開口部またはオリフィス１４０を形成する。花弁１３０、１３２、１３４、１３６、および１３８は、オリフィス１４０を中心として配列されてもよい。オリフィス１４０は、第１の部材１０２の略中心に置かれてもよい。花弁１３０、１３２、１３４、１３６、および１３８は、オリフィス１４０の周囲に均一に分散されてもよい。加えて、花弁１３０、１３２、１３４、１３６、および１３８は、実質的に、類似対称性を有してもよい。他の実施例では、花弁１３０、１３２、１３４、１３６、および１３８は、オリフィス１４０を中心として、不均一に分散されてもよい。加えて、他の実施例では、花弁１３０、１３２、１３４、１３６、および１３８は、非対称または非均一サイズ、厚さ、外観、または形状、あるいはそれらの組み合わせを有してもよい。代替として、ある実施例は、偶数の花弁を有してもよい一方、他の実施例は、奇数の花弁を有してもよい。
【００６１】
非限定的実施例として、オリフィス１４０は、概して、星様形状、花形、または星形構成断面を含む。オリフィス１４０は、中心アパーチャ３６０を含む。第１の部材１０２のオリフィス１４０は、５つの放射状に広がる切片３１２、３２２、３３２、３４２、および３５２を有する、星様形状、花形形状、または星形形状構成をさらに含む。他の実施例では、星様形状、花形形状、または星形形状構成は、奇数の放射状に広がる切片または楔を有してもよい。代替実施例は、偶数の放射状に広がる切片または楔を有してもよい。
【００６２】
第１の放射状に広がる切片３１２は、第１の花弁縁２１０と、第１の切り欠き３１０と、第２の花弁縁２２０と、中心アパーチャ３６０とによって形成または画定されてもよい。第１の放射状に広がる切片３１２は、中心アパーチャ３６０から第１の切り欠き３１０に向かって突出し、第１の放射状に広がる端点３１４で終端する。
【００６３】
第２の放射状に広がる切片３２２は、第２の花弁縁２２０と、第２の切り欠き３２０と、第３の花弁縁２３０と、中心アパーチャ３６０と、によって形成または画定されてもよい。第２の放射状に広がる切片３２２は、中心アパーチャ３６０から第２の切り欠き３２０に向かって突出し、第２の放射状に広がる端点３２４で終端する。
【００６４】
第３の放射状に広がる切片３３２は、第３の花弁縁２３０と、第３の切り欠き３３０と、第４の花弁縁２４０と、中心アパーチャ３６０と、によって形成または画定されてもよい。第３の放射状に広がる切片３３２は、中心アパーチャ３６０から第３の切り欠き３３０に向かって突出し、第３の放射状に広がる端点３３４で終端する。
【００６５】
第４の放射状に広がる切片３４２は、第４の花弁縁２４０と、第４の切り欠き３４０と、第５の花弁縁２５０と、中心アパーチャ３６０と、によって形成または画定されてもよい。第４の放射状に広がる切片３４２は、中心アパーチャ３６０から第４の切り欠き３４０に向かって突出し、第４の放射状に広がる端点３４４で終端する。
【００６６】
第５の放射状に広がる切片３５２は、第５の花弁縁２５０と、第５の切り欠き３５０と、第１の花弁縁２１０と、中心アパーチャ３６０とによって形成または画定されてもよい。第５の放射状に広がる切片３５２は、中心アパーチャ３６０から第５の切り欠き３５０に向かって突出し、第４の端点３５４で終端する。
【００６７】
星様形状、花形形状、または星形形状構成は、５つの放射状に広がる端点３１４、３２４、３３４、３４４、および３５４をさらに含んでもよい。第１の放射状に広がる点３１４は、第１の切り欠き３１０によって形成される。第２の放射状に広がる点３２４は、第２の切り欠き３２０によって形成される。第３の放射状に広がる点３３４は、第３の切り欠き３３０によって形成される。第４の放射状に広がる点３４４は、第４の切り欠き３４０によって形成される。第５の放射状に広がる点３５４は、第５の切り欠き３５０によって形成される。
【００６８】
フェイズプラグ１００の他の実施例は、異なる数の交点または切片を含み、オリフィス１４０を形成してもよい。また、オリフィス１４０は、実質的に、反転多角形様形状を有するように構成されてもよい。また、オリフィスは、楕円または円形形態に似た輪郭形状を含むように構成されてもよい。代替として、オリフィスは、正方形、四角形、または箱形形態あるいは特徴を含んでもよい。オリフィスのさらに他の実施例は、多角形特徴を含んでもよい。加えて、オリフィスは、概して、非対称幾何学形状に構成されてもよい。花弁１３０、１３２、１３４、１３６、および１３８は、円唇、実質的楕円形、放物線、非均一、または非対称形態であってもよい。花弁縁２１０、２２０、２３０、２４０、および２５０は、実質的に、薄いまたは先細の縁となってもよい。
【００６９】
図４では、第２の表面４０６は、第１の部材１０２の内縁４２２と周縁縁１０８との間に形成される、取付環状部４２０を含む。取付環状部４２０は、フェイズプラグ１００をスピーカアセンブリと接合するように構成されてもよい。内縁４２２は、スピーカアセンブリ内のスピーカの表面上に着座するように構成される、内部表面４２４によって、第２の表面４０６から分化されてもよい。
【００７０】
また、第３の表面１１０は、天頂１５４を有する、隆起またはドーム特徴１５０を含んでもよい。隆起特徴は、第３の表面１１０から突出する、突出部または突起１５２をさらに含んでもよい。突出部または突起１５２は、第３の表面の天頂１５４を含んでもよい。突起１５２は、円錐形態を有してもよい。他の実施例では、突出部１５２は、円錐曲線体の基部から天頂１５４へと隆起する、凸状表面を含んでもよい。代替として、突出部１５２は、凸状表面を有してもよい。さらに他の実施例では、突起１５２は、天頂１５４に実質的平坦部分を含む、切頂形態を有してもよい。
【００７１】
第３の表面１１０と第４の表面４１０との合体物は、縁４３２を形成してもよい。第４の表面４１０は、第１の傾斜表面４３４と、第２の傾斜表面４３８とをさらに含んでもよい。第１の傾斜縁４３４および第２の傾斜表面４３８は、スピーカのサウンド生成部分上に着座するように構成される、円唇表面または縁４３６を形成してもよい。円唇表面４３６は、面取りが施される、または刻設され、スピーカのサウンド発生表面によって生成される空気体積内の乱流を最小にしてもよい。
【００７２】
第４の表面４１０は、円唇表面４３６によって包囲される、陥凹４４０をさらに含んでもよい。陥凹４４０は、天底４４２に到達する、椀状または凹状特徴を有してもよい。天底４４２は、実質的に、第４の表面４１０の中心に位置してもよい。天底４４２は、第３の表面１１０の隆起部分１５０の天頂１５４と反対に位置してもよい。
【００７３】
図５−６では、第２の表面４０６は、５つの突起５１０、５２０、５３０、５４０、および５５０をさらに含んでもよい。第１の突起５１０は、それぞれの第１の支持部材１１２と連接されてもよい。第２の突起５２０は、第２の支持部材５０２と連接されてもよい。第３の突起５３０は、第３の支持部材５０４と連接されてもよい。第４の突起５４０は、第４の支持部材１１４と連接されてもよい。第５の突起５５０は、第５の支持部材１１６と連接されてもよい。
【００７４】
図５では、支持部材１１２、１１４、１１６、５０２、および５０４は、それぞれの突起５１０、５４０、５５０、５３０、および５２０の中心に対して、対称的に連接される。たとえそうであっても、支持部材は、それぞれの突起５１０、５４０、５５０、５３０、および５２０に対して、対称的に連接されないように、歪曲されてもよい。加えて、支持部材のうちの少なくとも１つは、突起に対して、連接されなくてもよい。
【００７５】
第２の表面４０６は、支持部材のうちの１つと連接されない、４つの付加的突起５６０、５６２、５６４、および５６６をさらに含む。第６の突起５６０は、第１の突起５１０と第２の突起５２０との間に配置される。第７の突起５６２は、第２の突起５２０と第３の突起５３０との間に配置される。第８の突起５６４は、第３の突起５３０と第４の突起５４０との間に配置される。第９の突起５６６は、第５の突起５５０と第１の突起５１０との間に配置される。
【００７６】
第６の突起５６０、第７の突起５６２、第８の突起５６４、および第９の突起５６６はそれぞれ、第１および第２のチャネル面６０２と、内面６０４とを含む。第１の突起５１０、第２の突起５２０、第３の突起５３０、第４の突起５４０、および第５の突起５５０はそれぞれ、第１および第２のチャネル面６０２と、面取りを施した面６０６と、第１の内面６０８と、第２の内面６１０とを含む。
【００７７】
第１のチャネル６２０は、第１の突起５１０のチャネル面６０２と第６の突起５６０のチャネル面６０２との間に形成される。第２のチャネル６２２は、第６の突起５６０のチャネル面６０２と第２の突起５２０のチャネル面６０２との間に形成される。第３のチャネル６２４は、第２の突起５２０のチャネル面６０２と第７の突起５６２のチャネル面６０２との間に形成される。第４のチャネル６２６は、第７の突起５６２のチャネル面６０２と第３の突起５３０のチャネル面６０２との間に形成される。第５のチャネル６２８は、第３の突起５３０のチャネル面６０２と第８の突起５６４のチャネル面６０２との間に形成される。６のチャネル６３０は、第８の突起５６４のチャネル面６０２と第４の突起５４０のチャネル面６０２との間に形成される。第７のチャネル６３２は、第５の突起５５０のチャネル面６０２と第４の突起５４０のチャネル面６０２との間に形成される。第８のチャネル６３４は、第５の突起５５０のチャネル面６０２と第９の突起５６６のチャネル面６０２との間に形成される。第９のチャネル６３６は、第１の突起５１０のチャネル面６０２と第９の突起５６６のチャネル面６０２との間に形成される。
【００７８】
第１の部材１０２および第２の部材１０４は、第１の支持部材１１２、第２の支持部材５０２、第３の支持部材５０４、第４の支持部材１１４、および第５の支持部材１１６と組み合わせて、オリフィス１４０を通過する、５つの開口部、５７０、５７２、５７４、５７６、および５７８を形成する。図５の点線は、第４の表面４１０から見た時のフェイズプラグ１００の構造に対するオリフィス１４０の相対的位置を示す。
【００７９】
第１の開口部５７０は、第２の表面４０６の一部と、第１の支持部１１２と、第２の支持部５０２と、によって形成されてもよく、第２の部材１０４は、オリフィス１４０を通過する第１の開口部５７０を形成する（図５の点線）。第１の開口部５７０を形成する、第２の表面４０６の一部は、第１の突起５１０の一部と、第２の突起５２０の一部と、第６の突起５６０とを含む。加えて、開口部５７０は、第１のチャネル６２０と、第２のチャネル６２２とをさらに含んでもよい。
【００８０】
第２の開口部５７２は、第２の表面４０６の一部と、第２の支持部５０２と、第３の支持部５０４と、第２の部材１０４とによって形成されてもよい。第２の開口部５７２は、第３のチャネル６２４と、第４のチャネル６２６とをさらに含んでもよい。第２の開口部５７２は、オリフィス１４０と連通してもよい。
【００８１】
第３の開口部５７４は、第２の表面４０６の一部と、第３の支持部材５０４と、第４の支持部１１４と、第２の部材１０４とによって形成されてもよい。第３の開口部５７４は、第５のチャネル６２８と、第６のチャネル６３０とをさらに含んでもよい。第３の開口部５７４は、オリフィス１４０と連通してもよい。
【００８２】
第４の開口部５７６は、第２の表面４０６の一部と、第４の支持部１１４と、第５の支持部材１１６と、第２の部材１０４とによって形成されてもよい。第４の開口部５７６は、第７のチャネル６３２を含んでもよい。第３の開口部５７６は、オリフィス１４０と連通してもよい。
【００８３】
第５の開口部５７８は、第２の表面４０６の一部と、第１の支持部１１２と、第５の支持部材１１６と、第２の部材１０４とによって形成されてもよい。第４の開口部５７８は、第８のチャネル６３４と、第９のチャネル６３６とをさらに含む。第３の開口部５７６は、オリフィス１４０と連通してもよい。
【００８４】
非限定的実施例として、図５および６では、第１の開口部５７０、第２の開口部５７２、第３の開口部５７４、および第５の開口部５７８はそれぞれ、実質的に、等しい断面領域を画定する。しかしながら、第４の開口部５７６は、より小さい断面領域を有するように図示される。その結果、開口部は、非対称特徴を提供し、スピーカのサウンド生成表面から放出されるサウンドを受信する。フェイズプラグの代替実施例は、入力表面に対して、他の非対称特徴を含んでもよく、各開口部は、異なる断面領域、異なる断面領域の組み合わせ、または支持部材のうちの少なくとも１つを突起の中心から歪曲されるような配置を有する等を含むが、それらに限定されない。
【００８５】
図７を参照すると、花弁１３０は、第１の花弁表面２１６に対応する、第１の内花弁表面７１６を含む。花弁１３０は、第２の花弁表面２１８に対応する、第２の内花弁表面７１８をさらに含む。第１の内花弁表面７１６および第２の内花弁表面７１８は、第１の支持部材１１２に連結されてもよい。
【００８６】
花弁１３２は、第１の花弁表面２２６に対応する、第１の内花弁表面７２６を含む。花弁１３２は、第２の花弁表面２２８に対応する、第２の内表面７２８をさらに含む。第１の内花弁表面７２６および第２の内花弁表面７２８は、第２の支持部材５０２に連結されてもよい。
【００８７】
花弁１３４は、第１の花弁表面２３６に対応する、第１の内花弁表面７３６を含む。花弁１３４は、第２の花弁表面２３８に対応する、第２の内表面７３８をさらに含む。第１の内表面７３６および第２の内表面７３８は、第３の支持部材５０４に連結されてもよい。
【００８８】
花弁１３６は、第１の花弁表面２４６に対応する、第１の内花弁表面７４６を含む。花弁１３６は、第２の花弁表面３４８に対応する、第２の内表面７４８をさらに含む。第１の内花弁表面７４６および第２の内花弁表面７４８は、第４の支持部材１１４に連結されてもよい。
【００８９】
花弁１３８は、第１の花弁表面３５６に対応する、第１の内花弁表面７５６を含む。第５の花弁１３８は、第２の花弁表面３５８に対応する、第２の内表面７５８をさらに含む。第１の内花弁表面７５６および第２の内花弁表面７５８は、第５の支持部材１１６に連結されてもよい。
【００９０】
第１の放射状に広がる切片３１２の第１の切り欠き３１０は、突起５６０の内表面６０４に当接する。同様に、第２の放射状に広がる切片３２２の第２の切り欠き３２０は、突起５６２の内表面６０４に当接する。第３の切り欠き３３０は、第８の突起５６４の内面６０４に当接することなく、第８の突起５６４を中心とする面積中に突出する。同様に、第５の切り欠き３５０は、突起５６６の内表面に当接することなく、突起５６６を中心とする面積中に突出する。切り欠き３４０は、実質的に、第７のチャネル６３２と整合される。
【００９１】
図８では、第１の軸Ｍは、視点Ｍ１とＭ２との間に延在する。図８は、視点Ｎ１とＮ２との間に延在する、第２の軸Ｎをさらに図示する。別の断面図は、図９では、第１の軸Ｍに沿った垂直切片として図示される。
【００９２】
図９では、第７のチャネル６３２は、第４の開口部５７６と、第４の切り欠き３４０と、第４の放射状に広がる切片３４２と、実質的に整合される。第７のチャネル６３２の、第４の開口部５７６と、第４の切り欠き３４０と、第４の放射状に広がる切片３４２との整合は、第４の開口部５７６の入力からオリフィス１４０までの実質的直接放射経路または開口部９４０を形成する。実質的直接開口部９４０は、オリフィス１４０を越えて、第４の開口部５７６に流入するサウンドエネルギーを周囲９２０に伝達する。第３の表面１１０の隆起またはドーム状特徴１５０は、突起１５２と組み合わせて、オリフィス１４０を通して、第４の開口部５７６を通して受信したサウンドエネルギーを反射する傾向にある。
【００９３】
図９では、突出部１５２は、オリフィス１４０内またはそれに向かって突出してもよい。故に、突出部１５２の天頂１５４は、第１の表面１０６の一部上に隆起してもよい。非限定的実施例として、また、図９は、天頂１５４が、第４の切り欠き３４０の高度と第２の花弁１３２の第２の花弁表面２２８との間に配置されてもよいことを図示する。第３の表面１１０のある実施例は、唇部１２０の一部上に配置される、ドーム状特徴１５０の一部を含んでもよい。他の実施例では、ドーム状特徴１５０は、唇部１２０の下に配置される一方、突起１５２の天頂１５４は、唇部１２０の少なくとも一部上に位置する。
【００９４】
図１０では、第３の開口部５７４は、第３の切り欠き３３０および第３の放射状に広がる切片３３２と実質的に整合する。第３の放射状に広がる切片３３２の、第３の開口部５７４と、第３の切り欠き３３０との整合は、第３の開口部５７４の入力からオリフィス１４０への実質的直接放射経路または開口部１０１０を形成する。実質的直接チャネル９１０と同様に、実質的直接チャネル１０１０は、オリフィス１４０を越えて、第３の開口部５７４に流入するサウンドエネルギーを周囲９２０に伝達する。第３の表面１１０の隆起またはドーム状特徴１５０は、突起１５２と組み合わせて、オリフィス１４０を通して、第３の開口部５７４を通して受信したサウンドエネルギーを反射する傾向にある。
【００９５】
突出部１５２は、オリフィス１４０内に突出してもよい。その結果、突出部１５２の天頂１５４は、第１の表面１０６の一部または唇部１２０の一部上に隆起してもよい。別の非限定的実施例として、図１０は、天頂１５４が、第３の切り欠き３３０の高度と第１の花弁１３０の第２の花弁表面２１８との間に配置されてもよいことを図示する。第３の表面１１０のある実施例は、第２の花弁表面２１８上に配置される、ドーム状特徴１５０の一部を含んでもよい。他の実施例では、ドーム状特徴１５０は、唇部１２０下に位置する一方、突起１５２の天頂１５４は、唇部１２０の少なくとも一部上に位置する。
【００９６】
対照的に、第１の開口部５７０は、実質的に、第１の花弁１３０の一部と整合する。第１の支持部材１１２は、第１の花弁１３０の対称中心から歪曲される。その結果、第１の内花弁表面７１８と第３の表面１１０との組み合わせは、オリフィス１４０と連通する、チャネル１０２０を形成する。チャネル１０２０は、第１の開口部５７０からオリフィス１４０に向かって、サウンドエネルギーを指向する。チャネル１０２０を通して指向される、サウンドエネルギーの一部は、第３の表面１１０に反射されてもよい。部分的に、開口部１０２０を通して指向される、サウンドエネルギーの一部は、隆起またはドーム特徴１５０あるいは突出部または突起１５２に反射されてもよい。
【００９７】
放射状に広がる切片３１２、３２２、３３２、３４２、および３５２の、開口部５７０、５７２、５７４、５７６、および５７８を形成する構造との整合の全体的効果は、開口部５７０、５７２、５７４、５７６、および５７８を通してのオリフィス１４０内へのサウンドエネルギーの流動に対して、種々の非対称または非均一構造および特徴を形成することである。非均一および非対称構造は、サウンドエネルギーが、オリフィス１４０を通して、スピーカのサウンド生成表面から囲繞周囲に伝搬するための複数の経路を提供する。各経路は、若干異なる周波数応答を提供するように構成されてもよいため、フェイズプラグ応答無効効果が、最小限にされ得る一方、全体的スピーカアセンブリによって提供される、指向性応答を最適化する。
【００９８】
図１１は、第１の表面１０６の観点から、フェイズプラグ１００をさらに図示する。支持部材１１２、１１４、１１６、５０２、および５０４の相対的位置は、オリフィス１４０を中心として配置される、破線として図示される。第１の支持部材１１２は、第１の花弁１３０のための構造的支持を提供する。支持部材１１２は、第１の花弁１３０の対称性の軸外に配置されてもよい。第４の支持部材１１４は、第４の花弁１３６のための構造的支持を提供する。支持部材１１２と同様に、支持部材１１４は、第４の花弁１３６の対称性の軸外に配置されてもよい。
【００９９】
再び図９を参照すると、第４の切り欠き３４０の端点３４４は、第２の部材１０４の縁４３２まで、またはそれを越えて延在してもよい。その結果、第４の切り欠き３４０は、第４の開口部５７６と重複してもよい。図１０では、第３の切り欠き３３０の端点３３４は、縁４３２まで、またはそれを越えて延在してもよい。その結果、第３の切り欠き３３０は、第３の開口部５７４と重複してもよい。
【０１００】
第１の表面１０６の観点から、第１および第２の部材のアセンブリを見る、図３および１１を参照すると、端点３１４、３２４、３３４、３４４、および３５４はそれぞれ、撓み２１２、２２２、２３２、２４２、および２５２を越えて延在してもよい。代替として、第１の端点３１４は、第２の部材１０４の縁４３２を越えて延在し、第１の表面１０６と第４の表面４１０との間の第１の通路１１１０を創出してもよい。第２の端点３２４は、縁４３２を越えて延在し、フェイズプラグ１００を通して、第２の通路１１２０を創出してもよい。第３の端点３３４は、縁４３２を越えて延在し、第１の表面１０６と第４の表面４１０との間の第３の通路１１３０を創出してもよい。第４の端点３４４は、縁４３２を越えて延在し、第１の表面１０６と第４の表面４１０との間の第３の通路１１４０を創出してもよい。そして、第５の端点３５４は、縁４３２を越えて延在し、第１の表面１０６と第４の表面４１０との間の第５の通路１１５０を創出する。通路１１１０、１１２０、１１３０、１１４０、および１１５０はそれぞれ、物理的妨害を被ることなく、サウンドエネルギーをスピーカのサウンド生成表面（図示せず）から囲繞周囲に指向させるための手段を提供してもよい。
【０１０１】
たとえそうであっても、フェイズプラグの対称性および周波数応答の他の側面を提供するために、他の実施例は、縁４３２を越えて延在し得る端点の一部のみを有してもよい、または全く有さなくてもよい。各切り欠き３１０、３２０、３３０、３４０、および３５０の、開口部２７０、２７２、２７４、２７６、および２７８との重複の奥行は、フェイズプラグ１００を通る各切片または通路の周波数応答を変化させるように異なってもよい。図１１は、５つの放射状に広がる切片３１２、３２２、３３２、３４２、および３５２のそれぞれが、実質的に、均一幅および形状を有するように図示するが、他の実施例は、異なる幅または形状を伴う、放射状に広がる切片を含んでもよい。
【０１０２】
さらに、図１−１１は、実質的に、均一形状および幅を有する花弁を図示するが、他の実施例は、非均一幅、非均一形状、非対称形態、非均一湾曲、および／またはそれらの組み合わせを有する、少なくとも１つの花弁を含んでもよい。さらに他の実施例は、花弁１３０、１３２、１３４、１３６、１３８、および／または花弁縁２１０、２２０、２３０、２４０、２５０のうちの少なくとも１つ以上に対して、単一表面を上回る、あるいは下回る高さ、厚さ、均一性、幅、または縁の先細性を含むが、それらに限定されない、他の変形例を提供し、周囲中へのフェイズプラグ放射の応答をさらに改変してもよい。
【０１０３】
支持部材間の距離の調節は、付加的非対称または非均一開口部を提供してもよい。その結果、第１の支持部材１１２と第２の支持部材１１４との間の距離は、他の近接支持部材と比較して、比較的に接近して位置してもよい。代替として、他の特徴に対する支持部間の可変距離または支持部の整合は、より均一または望ましい応答を提供する、もしくはフェイズプラグ１００または全体的スピーカアセンブリの応答のピークあるいは無効位置を変化させるように含まれてもよい。
【０１０４】
図１−１１は、各開口部内に含有される突起またはチャネルの数が異なるように、奇数の突起を図示するが、フェイズプラグ１００の他の実施例は、同一数の突起またはチャネルを含んでもよい。フェイズプラグ１００の他の実施例は、各開口部内の突起またはチャネルの数が同一であるように、いくつかの突起を含んでもよい。
【０１０５】
図１２は、第２の部材１０４の第３の表面１１０を図示する。第３の表面１１０は、隆起またはドーム状特徴１５０を妨害する、第１の出張り１２００を含む。第３の表面１１０は、第１の支持位置１２１２と、第２の支持位置１２０２と、第３の支持位置１２０４と、第４の支持位置１２１４と、第５の支持位置１２１６とをさらに含む。第１の支持位置１２１２は、支持部材１１２と交差または流動的に連結するように構成されてもよい。第２の支持位置１２０２は、支持部材５０２と交差または流動的に連結するように構成されてもよい。第３の支持位置１２０４は、第３の支持部材５０４と交差するように構成されてもよい。第４の支持位置１２１４は、支持部材１１４と交差または流動的に連結するように構成されてもよい。第５の支持位置１２１６は、支持部材１１６と交差または流動的に連結するように構成されてもよい。各それぞれの支持部材、１１２、５０２、５０４、１１４、および１１６の相互接続は、超音波ハンダ付けプロセスによって、対応する支持位置１２１２、１２０２、１２０４、１２１４、および１２１６と交差または連結してもよい。代替として、それぞれの支持部材および支持位置は、スピン摩擦プロセスまたは接着剤を使用して、取着されてもよい。
【０１０６】
説明目的のみのために、図１２は、垂直平面を画定する第１の軸Ｍまたは切片Ｍをさらに含む。第１の軸は、視点／端点Ｍ１およびＭ２によって、さらに画定される。視点Ｍ２から、垂直平面Ｍは、第４の支持位置１２１４と第５の支持位置１２１６との間の略中点を通過する。また、点Ｍ１から、垂直平面Ｍは、第２の支持位置１２０２の略対称中心を通過する。軸Ｍは、突出部または突起１５２および天頂１５４を通過する。
【０１０７】
また、さらなる説明目的のみのために、図１２は、垂直平面を画定する第２の軸Ｎまたは切片Ｎを含む。第２の軸Ｎは、視点／端点Ｎ１およびＮ２によって、さらに画定される。また、第２の軸Ｎは、突出部または突起１５２および天頂１５４を通過する。視点Ｎ２から、垂直平面Ｎは、第３の支持位置１２０４および第４の支持位置１２１４を通過する。Ｎ１の視点から、垂直Ｎは、第１の支持位置１２１２と第２の支持位置１２０２との間を通過する。
【０１０８】
図１３は、第２の部材１０４の第４の表面４１０の位置を図示する。破線は、第１の支持位置１２１２、第２の支持位置１２０２、第３の支持位置１２０４、第４の支持位置１２１４、および第５の支持位置１２１６を図示し、それらに対応する。
【０１０９】
図１４および１５は、視点Ｍ１の観点から、第１の軸Ｍに沿って、フェイズプラグを図示する。Ｍ２の視点から、突出部１５２は、一部第１の表面１０６の一部上およびオリフィス１４０内に突出する。第２の部材１０４および第１の部材１０２の第２の表面４０６と組み合わせて、支持部材１１４および１１６の相対的配置は、第４の開口部５７６を創出してもよい。第４の開口部５７６は、第４の切片３４２下かつ花弁１３２の位置の反対に、対称的に配置されてもよい。第３の開口部５７４は、第２の支持部材１０４および第１の部材１０２の第２の表面４０６と組み合わせて、支持部材１１４および５０４によって形成される。第５の開口部５７８は、第２の支持部材１０４および第１の部材１０２の第２の表面４０６と組み合わせて、支持部材１１２および１１６によって形成される。
【０１１０】
図１４では、第３の開口部５７６は、断面領域１４７６を包囲する。第２の開口部５７４は、断面領域１４７４を包囲する。第５の開口部５７８は、断面領域１４７８を包囲する。検査によって、第４の開口部５７６の断面領域１４７６は、第５の開口部５７８の断面領域１４７８または第３の開口部５７４の断面領域１４７４未満であってもよい。開口部の断面領域の差異は、フェイズプラグ１００の向上した高周波数応答と相関する、フェイズプラグの対称性に寄与する。
【０１１１】
加えて、第４の放射状に広がる切片３４２と開口部５７６との組み合わせは、表面積１４７６を通してのオリフィス１４０へのサウンドエネルギーの流動に対して、対称性の程度を提供する。対照的に、第３の開口部５７４と第４の花弁１３６との組み合わせは、別の程度の対称性を提供することに寄与する。同様に、第５の開口部５７８と第５の花弁１３８との組み合わせは、別の程度の対称性を提供する。付加的程度の対称性に加え、構造の相違は、サウンドエネルギーのための異なる経路長を提供する。異なる経路長は、無効点が出現するのを、またはフェイズプラグ１００の周波数応答を支配するのを防止する傾向にある高周波数応答の変動をさらに提供する。
【０１１２】
対照的に、図１５は、視点Ｍ１から、同様に、第１の軸Ｍに沿ったフェイズプラグ１００の第２の図を図示する。第１の開口部５７０は、断面領域１５７０を包囲する。第２の開口部５７２は、断面領域１５７２を包囲する。検査によって、断面領域１５７０および１５７２は、同一または略同一表面積を有してもよい。支持部材５０２は、第２の花弁１３２を対称的に等しい部分に分割するように配置されてもよい。
【０１１３】
第１の開口部５７０は、放射状に広がる切片３１２、第１の花弁１３０、および第２の花弁１３２と組み合わせて、サウンドエネルギーが、第１の開口部５７０からオリフィス１４０に通過する、チャネルを形成する。第２の開口部５７２は、放射状に広がる切片３２２、第２の花弁１３２、および第３の花弁１３４と組み合わせて、サウンドエネルギーが、開口部５７２からオリフィス１４０に通過する、チャネルを形成する。図示されるように、第１の開口部５７０と連繋される、チャネルは、第２の開口部５７２と連繋される、チャネルの鏡像であってもよい。他の実施例では、それぞれのチャネルは、異なる開口部および／または切片幾何学形状あるいはサイズを含んでもよい。
【０１１４】
また、花弁開口部に対する、支持部材１１２、１１４、１１６、５０２、および５０４の相対的配置は、フェイズプラグ１００の異なる周波数応答の性質を提供するように調節され得る、付加的対称または非対称幾何学形状を提供してもよい。
【０１１５】
図１６は、視点Ｎ１から、第２の軸Ｎに沿って、フェイズプラグ１００の第１の図を図示する。開口部５７２は、断面領域１６７２を包囲する。第２の開口部２７２は、第２の放射状に広がる切片３２２および第１の花弁１３０と組み合わせて、サウンドエネルギーが、断面領域１６７２を通してオリフィス１４０に通過するためのチャネルを形成する。第２の開口部２７２の一部は、第２の放射状に広がる切片３２２と整合されてもよい。第２の開口部２７２の別の部分は、第１の花弁１３０と整合されてもよい。
【０１１６】
図１７は、視点Ｎ２から、第２の軸Ｎに沿って、フェイズプラグ１００の第２の図を図示する。特に、図１７は、第４の花弁１３６、第３の花弁１３４、および第５の放射状に広がる切片３５２に対して、第５の開口部５７８の配列の第２の観点を提供する。図１６および１７と対照的に、図１７の第５の開口部５７８は、図１６の第２の開口部５７２の鏡像であってもよい。代替として、それぞれの開口部のそれぞれの支持部材は、各開口部のそれぞれの断面領域を増減するように調節されてもよい。各開口部の断面領域を調節することによって、それぞれの開口部の対称像は、フェイズプラグの所望の周波数応答を最適化するように修正されてもよい。代替として、それぞれの開口部の対称像は、フェイズプラグの周波数応答を最適に移動させる、または無効にし、最適または所望のフェイズプラグの周波数応答を提供するように調節されてもよい。
【０１１７】
図１８は、第２の部材１０４の観点から、フェイズプラグ１００を図示する。第２の部材１０４は、支持部材を介して、第１の部材１０２に取着される。第１の部材１０２および第２の部材１０４と、支持部材１１２、１１４、１１６、５０２、および５０４の組み合わせは、サウンドエネルギーまたは空気流が、フェイズプラグ１００を通過するための開口部を創出する。天底４４２の位置は、陥凹４４０と組み合わせて、スピーカの中心部分上に配置される、空洞を提供する。他の実施例では、第４の表面は、最小空洞を提供する、あるいは外側に突出するように形成され、スピーカのサウンド生成表面と、スピーカに近接して配置されるフェイズプラグの表面との間に、恒常的または均一な空隙を提供してもよい。取付環状部４２０は、フェイズプラグ１００の唇部または縁を形成し、スピーカアセンブリ内のスピーカと接合するように適合されてもよい。取付環状部４２０は、スピーカアセンブリ内への組み込みに応じて、フェイズプラグを定位置に係止または着脱可能に固着するための特徴（図示せず）をさらに含んでもよい。
【０１１８】
図１９は、円錐ダイヤフラムを伴うスピーカ１９０２を含む、スピーカアセンブリ１９００の断面図を図示する。スピーカ１９０２は、界面１９０６において、円錐１９０４に取着される、ダストキャップ１９０３を含む。円錐１９０４は、サラウンド１９０８に取着する。サラウンド１９０８は、スピーカ１９０２のバスケット１９１０上に静置する。
【０１１９】
スピーカアセンブリ１９００は、フェイズプラグ１００の別の実施例である、フェイズプラグ１９１２をさらに含む。フェイズプラグ１９１２は、第１の部材１０２と、第２の部材１０４とを含む。第１の部材１０２および第２の部材１０４は、支持部材（図示せず）によって取着される。第４の表面４１０は、ダストキャップ１９０３および円錐１９０４上に配置される。
【０１２０】
第１の傾斜表面４３４、第２の傾斜表面４３８、および円唇表面または縁４３６は、界面１９０６に近接して配置されてもよい。縁４３６の湾曲または起伏は、第４の表面４１０とダストキャップ１９０３との間の体積にわたって、またはそれを通して、移動する空気の乱流を最小限にするように形成されてもよい。第４の表面４１０は、ダストキャップ１９０３上に配置される、ドーム状または湾曲部分をさらに含む。湾曲部分は、ダストキャップ１９０３の中心に近接して、かつ突起１５２の尖部または天頂１５４の反対に配置される、天底４４２を有する。
【０１２１】
第１の部材１０２は、第１の花弁１９３０と、第１の面１９３４および第２の面１９３６を有する、第１の突起１９３２とを含む。第２の部材１０４の縁４３２は、第１の面１９３４と組み合わせて、通路１９３８を形成する。通路１９３８は、円錐１９０４およびダストキャップ１９０３の表面からフェイズプラグ１９１２の内部へとサウンドエネルギーを通過させる。第３の表面１１０のドーム特徴１５０および突起１５２は、第１の花弁１９３０と組み合わせて、サウンドエネルギーが、アパーチャ１４０を通過するためのチャネルを形成する。
【０１２２】
また、第１の部材１０２は、第２の花弁１９４０と、第１の面１９４４および第２の面１９４６を有する、第２の突起１９４２を含む。第２の部材１０４の縁４３２は、第１の面１９３４と組み合わせて、通路１９４８を形成する。通路１９４８は、円錐１９０４およびダストキャップ１９０３の表面からフェイズプラグ１９１２の内部へとサウンドエネルギーを通過させる。また、第３の表面１１０のドーム特徴１５０および突起１５２は、第２の花弁１９４０と組み合わせて、サウンドエネルギーが、アパーチャ１４０を通過するためのチャネルを形成する。
【０１２３】
図１０および１１の断面図と対照的に、フェイズプラグ１９１２の断面は、実質的に、類似通路１９３８および１９４８を図示する。加えて、ドーム状部分１５０および突出部１５２と関連して、花弁によって形成されるチャネルは、実質的に、対称形態を有するように図示される。
【０１２４】
図１９のスピーカは、図１−１８のフェイズプラグ実施例ならびに本明細書に説明される代替実施例のいずれかと組み合わせられてもよい。さらに、図１９のスピーカは、円錐ダイヤフラムを含むが、他のダイヤフラムの種類が、本明細書に説明されるフェイズプラグと組み合わせられてもよい。
【０１２５】
図２０は、音響レンズ２０００の上面図および断面図を図示する。音響レンズ２０００は、スピーカのサウンド生成表面（図示せず）上に取り付けるように構成されてもよい。音響レンズ２０００は、第１の表面２００２と、第２の表面２００４とを含む。第１の表面２００２および第２の表面２００４は、合体物を形成し、外縁または唇部２００６を創出する。外唇部または縁２００６は、スピーカの取付特徴上に静置するように構成されてもよい。また、第１の表面２００２および第２の表面は、合体物を形成し、内側唇部または縁２００８を形成する。内側唇部２００８は、アパーチャ２０１０の輪郭を描き、内側唇部２００８は、アパーチャ２０１０の断面領域の輪郭を描く。
【０１２６】
非限定的実施例として、アパーチャ２０１０は、第１の表面２００２および第２の表面２００４の中心位置またはその近傍に、軸対称開口部を含む。内側唇部または縁２００８は、０．５−２．５ｍｍ厚の厚さを有してもよい。
【０１２７】
他の実施例では、内側唇部２００８は、音響レンズ２０００の表面積の約１５％以上を含む、アパーチャ２０１０の断面領域の輪郭を描く。音響レンズ２０００は、スピーカのフレーム（図示せず）に嵌合する特徴をさらに含む一方、スピーカの移動ダイヤフラムアセンブリのための隙間を提供する。音響レンズ２０００は、可変可撓性の種々の剛性材料から構成されてもよい。例示として、一実施例では、音響レンズ２０００は、プラスチックから構成されてもよい。他の実施例では、音響レンズ２０００は、金属から構成されてもよい。さらに他の実施例では、音響レンズ２０００は、他の好適な材料または複合材料から構成されてもよい。
【０１２８】
第２の表面２００４は、スピーカの放射表面（図示せず）に近接して取り付けられる。音響レンズ２０００のアパーチャ２０１０は、スピーカの放射面積を効果的に減少させる。内側唇部２００８によって輪郭が描かれる、より小さい放射面積は、スピーカの指向性を減少させ、より広い網羅面積にわたって、かつより高い周波数まで、より均一な音圧レベル周波数応答（スペクトル平衡）を提供する。
【０１２９】
加えて、スピーカのダイヤフラム（第２の表面２００４に近接して取り付けられる）と音響レンズ２０００との間の空気の体積の不撓性は、アパーチャ２０１０内の空気の質量と共振する（Ｈｅｌｍｈｏｌｔｚ共振）。その結果、周波数範囲内のスピーカの音圧レベルは、略本共振周波数に上昇する。Ｈｅｌｍｈｏｌｔｚ共振周波数範囲を超えると、ダイヤフラムと音響レンズとの間の空気の体積は、音響低域フィルタとして作用し、スピーカの音圧レベルを低下させる。本効果は、典型的には、Ｈｅｌｍｈｏｌｔｚ共振周波数範囲直上のオクターブにおいて、最も顕著である。
【０１３０】
Ｈｅｌｍｈｏｌｔｚ共振周波数範囲を超えると、ダイヤフラムと音響レンズ２０００との間の空気の体積内の定在波による、他の共振が生じる（「空洞共振」）。空洞共振は、第１の表面２００２に対応する、音響レンズ２０００の辺に位置する位置で測定される、音圧レベル周波数応答のピークおよび下降を生じさせる。
【０１３１】
アパーチャの放射面積の減少は、典型的には、音圧レベル（「挿入損失」）を低下させ、音圧歪曲を増加させる。これらの効果は、スピーカの動作帯域幅全体を通して生じ得るが、典型的には、Ｈｅｌｍｈｏｌｔｚ共振周波数範囲直下の１または２オクターブにおいて、最も顕著かつ容易に識別される。これらの効果は、アパーチャ面積の減少に伴って、悪化（増加）する。
【０１３２】
図２１は、音響レンズ２１００の上面図および断面図を図示する。音響レンズ２１００は、スピーカのサウンド生成表面（図示せず）上に取り付けるように構成されてもよい。音響レンズ２１００は、第１の表面２１０２と、第２の表面２１０４とを含む。第１の表面２１０２および第２の表面２１０４は、合体物を形成し、縁または唇部２１０６を創出する。外唇部または縁２１０６は、スピーカの取付特徴上に静置するように構成されてもよい。また、第１の表面２１０２および第２の表面は、合体物を形成し、内側唇部または縁２１０８を形成する。内側唇部２１０８は、アパーチャ２１１０の輪郭を描き、内側唇部２１０８は、アパーチャ２１１０の断面領域の輪郭を描く。
【０１３３】
内側唇部２１０８は、種々の幾何学的形状の縁を含むように構成されてもよい。例示として、内側唇部２１０８は、複数の頂点２１３２および２１３４を有する、星形、花形、または星様形状に相似するように構成されてもよい。例示として、頂点２１３４に類似する、ある頂点は、アパーチャ２１１０内に突出してもよい。頂点２１３４に類似する、他の頂点は、アパーチャ２１１０の中心から外向きに突出してもよい。６つの放射状に広がる点を含む、星様形状、花形形状、または星形形状として図示されるが、他の実施例は、奇数の放射状に広がる点を有する、星形、花形、または星様形状アパーチャを含む。
【０１３４】
音響レンズ２１００のある実施例は、約０．５−２．５ｍｍの厚さを有してもよい。アパーチャ２１１０は、音響レンズ２１００の本体の中心を中心として、非軸対称であってもよい。アパーチャ２１１０の内側唇部２１０８によって輪郭が描かれる、断面領域は、典型的には、音響レンズ２１００の表面積の１５％以上である。ある実施例では、アパーチャ２１１０は、奇数-典型的には、素数の非軸対称特徴を含んでもよい。非軸対称特徴は、外径まで延在してもよく、その寸法は、典型的には、第２の表面２１０４（図示せず）に近接して取り付けられる、スピーカのダイヤフラムの外径の寸法と類似する。例えば、音響レンズ２１００は、中心アパーチャから放射状に広がる、５つの三角形特徴を含む。５つの三角形特徴は、「５つの尖頭星」形状アパーチャを形成するように連結されてもよい。音響レンズ２１００は、フレームに嵌合する特徴を含み、スピーカのダイヤフラムアセンブリの移動を収容するための隙間を提供するように、さらに構成されてもよい。音響レンズ２０００と同様に、音響レンズ２１００は、プラスチックまたは金属から構成されてもよいが、他の好適な材料からも構成可能である。
【０１３５】
音響レンズ２１００の性能は、音響レンズ２０００に類似するが、空洞共振は、抑制および／または分散される。これは、典型的には、高周波数において、より高く、かつより平滑な音圧レベルを抵抗する。加えて、指向性は、典型的には、周波数に伴って、より平滑に変化するが、ある周波数範囲内では、より高くてもよい。
【０１３６】
図２２は、音響レンズ２２００の上面図および断面図を図示する。音響レンズ２２００は、音響レンズ２０００に類似する。音響レンズ２２００は、スピーカのサウンド生成表面（図示せず）上に取り付けるように構成されてもよい。音響レンズ２２００は、第１の表面２２０２と、第２の表面２２０４とを含む。第１の表面２２０２および第２の表面２２０４は、合体物を形成し、外縁または唇部２２０６を創出する。外唇部または縁２２０６は、スピーカの取付特徴上に静置するように構成されてもよい。また、第１の表面２２０２および第２の表面は、合体物を形成し、内側唇部または縁２２０８を形成する。内側唇部２２０８は、アパーチャ２２１０の輪郭を描き、内側唇部２２０８は、アパーチャ２２１０の断面領域の輪郭を描く。
【０１３７】
また、音響レンズ２０００と同様に、音響レンズ２２００は、第１の表面２２０２および第２の表面２００４の中心位置またはその近傍に、アパーチャ２２１０を軸対称開口部として位置するように構成されてもよい。内側唇部または縁２２０８は、０．５−２．５ｍｍ厚の厚さを有してもよい。
【０１３８】
アパーチャ２２１０の軸対称開口部に加えて、第１の表面２２０２および第２の表面２２０４は、付加的内側唇部２２１２、２２１４、２２１６、２２１８、および２２２０を形成するように合体してもよく、通気孔唇部２２１２、２２１４、２２１６、２２１８、および２８２０はそれぞれ、それぞれの通気孔アパーチャ２２２２、２２２４、２２２６、２２２８、および２２３０の輪郭を描く。図２２では、各それぞれのアパーチャは、軸対称開口部２２１０を中心として位置する。ある実施例では、通気孔アパーチャ２２２２、２２２４、２２２６、２２２８、および２２３０は、均等に分散されてもよい。他の実施例では、通気孔アパーチャ２２２２、２２２４、２２２６、２２２８、および２２３０は、アパーチャ２２１０の中心軸から、略同一距離で分散されてもよい。しかしながら、他の実施例では、通気孔アパーチャ２２２２、２２２４、２２２６、２２２８、および２２３０は、アパーチャ２２１０の中心から、可変距離で分散されてもよい。
【０１３９】
アパーチャ２２１０の表面積は、典型的には、音響レンズ２２００の表面積の１５％以上であってもよい。加えて、外径に近接して、またはその上に位置する、いくつかの軸対称「通気孔」アパーチャ２２２２、２２２４、２２２６、２２２８、および２２３０が存在してもよく、その寸法は、典型的には、ダイヤフラムの外径の寸法に類似する。ある構成では、音響レンズ２２００は、奇数の通気孔アパーチャを含む。他の実施例では、音響レンズ２２００は、素数の通気孔アパーチャを含む。
【０１４０】
通気孔アパーチャはそれぞれ、それぞれの通気孔唇部によって輪郭が描かれる、断面領域を含む。「通気孔」アパーチャの結合された断面表面積は、アパーチャ２２１０の表面積以下であってもよい。音響レンズは、スピーカアセンブリのフレームに嵌合するための特徴を含んでもよく、スピーカダイヤフラムアセンブリの移動部品から十分な隙間を提供する。音響レンズは、典型的には、プラスチックまたは金属から構成されてもよいが、他の好適な材料からも構成可能である。
【０１４１】
音響レンズ２２００の性能は、音響レンズ２１００に類似する。しかしながら、アパーチャ２２１０と、通気孔アパーチャ２２２２、２２２４、２２２６、２２２８、および２２３０の組み合わせは、音響レンズ２２００に提供される、有効アパーチャ面積を増加させる。故に、音響レンズ２２００は、より高いＨｅｌｍｈｏｌｔｚ共振周波数を呈する。加えて、音響レンズ２２００は、より広いＨｅｌｍｈｏｌｔｚ共振周波数範囲と、より低いＨｅｌｍｈｏｌｔｚ共振音圧レベル上昇とを有してもよい。
【０１４２】
音響レンズ２２００の指向性は、典型的には、Ｈｅｌｍｈｏｌｔｚ共振周波数から、パイ（π）×中心アパーチャの有効半径と略等しい対応する波長を伴う周波数において、より高くなる。本周波数を超えると、音圧レベルおよび指向性は、典型的には、本質的に不変である。音圧「挿入損失」および歪曲は、典型的には、低減される。
【０１４３】
図２３は、音響レンズ２３００の上面図および断面図を図示する。音響レンズ２３００は、音響レンズ２１００と同様に形成され、類似数および特徴に相当する。加えて、音響レンズ２３００は、音響レンズ２２００の通気孔アパーチャに類似する、通気孔アパーチャ２３２２、２３２４、２３２６、２３２８、２３２９、および２３３０をさらに含む。
【０１４４】
図２３では、アパーチャ２３１０は、偶数の星点を含む。しかしながら、他の開示される実施例と同様に、アパーチャ２３１０は、外径まで延在する、奇数または素数の非軸対称特徴を含んでもよく、その寸法は、典型的には、ダイヤフラムの外径の寸法に類似する。例えば、頂点２３３２は、中心アパーチャ２３１０から放射状に広がり、「６尖頭星」形状アパーチャを生成する、三角形特徴によって形成される。加えて、音響レンズ２３００は、音響レンズ２３００の外径の近傍に位置する、いくつかの軸対称「通気孔」アパーチャをさらに含んでもよく、その寸法は、典型的には、ダイヤフラムの外径の寸法に類似する。軸対称通気孔アパーチャの数は、奇数または素数であってもよい。「通気孔」アパーチャの結合された表面積は、典型的には、アパーチャ２３１０の表面積以下である。音響レンズ２３００は、スピーカまたはスピーカアセンブリのフレームに嵌合するための特徴を含んでもよい一方、移動ダイヤフラムアセンブリのための隙間を提供する。音響レンズ２３００は、典型的には、プラスチックまたは金属から構成されるが、他の好適な材料からも構成可能である。
【０１４５】
音響レンズ２３００は、音響レンズ２２００の類似性能を有するが、しかしながら、音響レンズ２３００は、空洞共振のさらなる抑制および／または分散を提供する。その実証されていない空洞共振性能は、高周波数において、より高く、かつより平滑な音圧レベルを提供する。加えて、指向性は、典型的には、周波数に伴って、より平滑に変化し、ある実施例では、ある周波数範囲内において、より高くてもよい。
【０１４６】
図２４は、音響レンズの上面および断面図を図示する。図示されるように、音響レンズ２４００は、音響レンズ２２００に類似する形態を含んでもよく、類似数および特徴に相当する。音響レンズ２４００は、音響レンズ２２００の通気孔アパーチャに類似する、通気孔アパーチャ２４２２、２４２４、２４２６、２４２８、２４３０をさらに含む。しかしながら、音響レンズ２４００の通気孔アパーチャは、非軸対称であってもよい。さらに、音響レンズ２４００の通気孔アパーチャは、楔形状または三角形形状であってもよい。故に、音響レンズ２４００の通気孔アパーチャは、奇数の辺または素数の辺を有する、多角形形状アパーチャであってもよい。さらに、音響レンズ２４００の通気孔アパーチャ辺は、湾曲特徴をさらに含んでもよい。
【０１４７】
アパーチャ２４１０の表面積は、典型的には、音響レンズ２４００の表面積の少なくとも１５％である。加えて、非軸対称「通気孔」アパーチャは、外径上に位置してもよく、その寸法は、典型的には、音響レンズ２４００が配置される、スピーカのダイヤフラムの外径の寸法に類似する。
【０１４８】
ある実施例では、「通気孔」アパーチャの結合された表面積は、典型的には、アパーチャ２４１０に類似する、中心に位置するアパーチャの表面積以下である。音響レンズ２４００は、スピーカアセンブリまたはスピーカのフレームに嵌合するための特徴を含んでもよい一方、移動ダイヤフラムアセンブリのための隙間を提供する。音響レンズ２４００は、プラスチック、金属、または他の好適な材料から構成されてもよい。
【０１４９】
図２５は、音響レンズ２５００の上面および断面図である。図２５では、音響レンズ２５００は、音響レンズ２３００に類似する形態を含んでもよく、類似数および特徴に相当する。しかしながら、音響レンズ２３００と異なり、音響レンズ２５００は、実質的に、５つの尖頭星形または５つの尖頭星として成形される、アパーチャ２４１０を有するように図示される。加えて、音響レンズ２３００の通気孔開口部と異なり、音響レンズ２５００の通気孔開口部は、花形または星形状として構成されてもよい。図２５は、実質的に、５つの尖頭星として成形されるように、通気孔アパーチャを図示するが、ある音響レンズ２５００の実施例は、アパーチャ２５１０と異なる数の放射状に広がる点を伴う、通気孔アパーチャを含んでもよい。
【０１５０】
図２６は、フェイズプラグ２６００の上面および断面図を図示する。図２６では、フェイズプラグ２６００は、スピーカのサウンド生成表面（図示せず）上に取り付けるように構成されてもよい。フェイズプラグ２６００は、第１の表面２６０２と、第２の表面２６０４とを含む。第１の表面２６０２および第２の表面２６０４は、合体物を形成し、外縁または唇部２６０６を創出する。外唇部または縁２６０６は、スピーカの取付特徴上に静置するように構成されてもよい。第１の表面２６０２および第２の表面２６０４は、内側唇部または縁２６０８を形成するように合体する。内側唇部２６０８は、アパーチャ２６１０の輪郭を描き、内側唇部２６０８は、アパーチャ２６１０の断面領域の輪郭を描く。
【０１５１】
非限定的実施例として、アパーチャ２６１０は、第１の表面２６０２および第２の表面２６０４の中心位置またはその近傍に、軸対称開口部を含む。外縁２００８は、０．５−２．５ｍｍ厚の厚さを有してもよい。しかしながら、音響レンズ２０００と異なり、フェイズプラグ２６００は、フェイズプラグ２６００がスピーカ（図示せず）に取り付けられると創出される、空洞の大部分を充填する。スピーカ上にフェイズプラグ２６００を取り付けると、空洞が、第２の表面２６０４とスピーカのダイヤフラム（図示せず）との間に形成される。
【０１５２】
アパーチャ２６１０の断面の表面積は、プラグの上部の表面積の１５％以上であってもよい。フェイズプラグ２６００は、スピーカのフレームに嵌合するための特徴を含んでもよい。フェイズプラグ２６００は、スピーカと第２の表面２６１０との間の隙間を可能にするように構成されてもよい。隙間は、フェイズプラグ２６００とダイヤフラムアセンブリとの間の非干渉を可能にする。故に、隙間は、フェイズプラグ２６００に接触せずに、ダイヤフラムアセンブリの移動を可能にする。フェイズプラグ２６００は、プラスチック、金属、または他の好適な材料から構成されてもよい。
【０１５３】
フェイズプラグ２６００の性能は、フェイズプラグ２０００に類似する。しかしながら、フェイズプラグ２６００は、ダイヤフラムとプラグとの間の空洞の体積を減少させる。減少した空洞体積は、Ｈｅｌｍｈｏｌｔｚ共振周波数を上昇させる。減少した空洞体積は、Ｈｅｌｍｈｏｌｔｚ共振周波数範囲を拡大させ得る一方、Ｈｅｌｍｈｏｌｔｚ共振音圧レベルを低下させる。
【０１５４】
アパーチャ２６１０（「ポート」）の長さの増加は、Ｈｅｌｍｈｏｌｔｚ共振周波数の低下、周波数範囲の縮小、および音圧レベルの上昇を生じさせる。最終結果は、アパーチャ２６１０の体積減少および「ポート長」増加の相対的寄与に依存する。また、アパーチャ２６１０のポート長増加は、空洞共振に加え、ポート共振によって、ピークおよび下降を生じさせ得る。フェイズプラグ２６００の指向性は、フェイズプラグ２０００に類似するが、最高周波数におけるものである。フェイズプラグ２６００の使用は、音圧「挿入損失」および歪曲を増加させ得る。
【０１５５】
図２７は、フェイズプラグ２７００の上面図および対応する断面図を図示する。フェイズプラグ２７００は、スピーカのサウンド生成表面（図示せず）上に取り付けるように構成されてもよい。フェイズプラグ２７００は、第１の表面２７０２と、第２の表面２７０４とを含む。第１の表面２７０２および第２の表面２７０４は、外縁または唇部２７０６を形成するように合体する。外唇部または縁２７０６は、スピーカの取付特徴上に静置するように構成されてもよい。また、第１の表面２７０２および第２の表面は、合体物を形成し、内側唇部または縁２７０８を形成する。内側唇部２７０８は、アパーチャ２７１０の輪郭を描き、内側唇部２７０８は、アパーチャ２７１０の断面領域の輪郭を描く。
【０１５６】
内側唇部２７０８は、種々の幾何学的形状の縁を含むように構成されてもよい。例示として、内側唇部２７０８は、複数の頂点２７１２および２７１４を有する、星形、花形、または星様形状に相似するように構成されてもよい。例示として、頂点２７１４に類似する、ある頂点は、アパーチャ２７１０内に突出してもよい。頂点２７１４に類似する、他の頂点は、アパーチャ２７１０の中心から外向きに突出してもよい。５つの放射状に広がる点を有する星として図示されるが、他の実施例は、奇数の放射状に広がる点を有する、星形、花形、または星形状アパーチャを含んでもよい。さらに他の実施例は、不規則な多角形、花形、または星形として、アパーチャを含んでもよい。
【０１５７】
フェイズプラグ２７００のある実施例は、先細または傾斜部分を含み、第２の表面２７０４に適合し、スピーカアセンブリ（図示せず）と接合してもよい。外縁２７０６では、フェイズプラグ２７００は、外縁において約０．５−２．５ｍｍの厚さを有してもよい。
【０１５８】
アパーチャ２７１０は、フェイズプラグ２７００の本体の中心を中心として、非軸対称であってもよい。アパーチャ２７１０の内側唇部２７０８によって輪郭が描かれる、断面領域は、典型的には、フェイズプラグ２７００の表面積の１５％以上である。ある実施例では、アパーチャ２７１０は、奇数−典型的には、素数の非軸対称特徴を含んでもよい。非軸対称特徴は、外径まで延在してもよく、その寸法は、典型的には、第２の表面２７０４（図示せず）に近接して取り付けられる、スピーカのダイヤフラムの外径の寸法に類似する。
【０１５９】
例えば、フェイズプラグ２７００は、中心アパーチャから放射状に広がる５つの三角形特徴を含む。５つの三角形特徴は、「５つの尖頭星」形状アパーチャを形成するように連結されてもよい。フェイズプラグ２７００は、フレームに嵌合するための特徴を含み、スピーカのダイヤフラムアセンブリの移動を収容するための隙間を提供するようにさらに構成されてもよい。音響レンズ２１００と同様に、フェイズプラグ２７００は、プラスチックまたは金属から構成されてもよいが、他の好適な材料からも構成可能である。
【０１６０】
非限定的実施例として、アパーチャ２７１０は、第１の表面２７０２および第２の表面２７０４の中心位置またはその近傍に、軸対称開口部を含む。外縁２７０８は、０．５−２．５ｍｍ厚の厚さを有してもよい。しかしながら、音響レンズ２０００と異なり、フェイズプラグ２７００は、フェイズプラグ２７００がスピーカ（図示せず）に取り付けられると創出される、空洞の大部分を充填する。スピーカ上にフェイズプラグ２７００を取り付けると、空洞が、第２の表面２７０４とスピーカのダイヤフラム（図示せず）との間に形成される。
【０１６１】
アパーチャ２７１０の断面の表面積は、プラグの上部の表面積の１５％以上であってもよい。フェイズプラグ２７００は、スピーカのフレームに嵌合するための特徴を含んでもよい。フェイズプラグ２７００は、スピーカと第２の表面２７１０との間の隙間を可能にするように構成されてもよい。隙間は、フェイズプラグ２７００とダイヤフラムアセンブリとの間の非干渉を可能にする。故に、隙間は、フェイズプラグ２７００に接触することなく、ダイヤフラムアセンブリの移動を可能にする。フェイズプラグ２７００は、プラスチック、金属、または他の好適な材料から構成されてもよい。
【０１６２】
フェイズプラグ２７００は、フェイズプラグ２６００と同様に機能する。しかしながら、フェイズプラグ２７００は、ポートならびに空洞共振をより抑制および／または分散させる。その結果、フェイズプラグ２７００の実施例は、典型的には、高周波数において、より高く、かつより平滑な音圧レベルを提供する。加えて、フェイズプラグ２７００の典型的指向性は、周波数に伴って、より平滑に変化するが、ある周波数範囲内では、より高くてもよい。
【０１６３】
図２８は、フェイズプラグ２８００の上面図および断面図を図示する。フェイズプラグ２８００は、スピーカのサウンド生成表面（図示せず）上に取り付けるように構成されてもよい。フェイズプラグ２８００は、第１の表面２８０２と、第２の表面２８０４とを含む。第１の表面２８０２および第２の表面２８０４は、合体物を形成し、外縁または唇部２８０６を創出する。外唇部または縁２８０６は、スピーカの取付特徴上に静置するように構成されてもよい。また、第１の表面２８０２および第２の表面は、合体物を形成し、内側唇部または縁２８０８を形成する。内側唇部２８０８は、アパーチャ２８１０の輪郭を描く。
【０１６４】
図２８の断面図に示されるように、フェイズプラグ２８００のポート特徴２８３２は、内向きに膨張し、アパーチャ２８１０を狭窄させてもよい。故に、ポート特徴２８４２の縁は、アパーチャの有効断面領域２０１０の輪郭を描く。図２８に図示されないが、ポート特徴２８３２は、非対称特徴を含む、または別様に非対称であってもよい。加えて、図２８では、フェイズプラグ２８００の第２の表面２８０４は、内縁２８０８の一部を形成する、内湾曲特徴２８４０を含んでもよい。
【０１６５】
非限定的実施例として、アパーチャ２８１０は、第１の表面２８０２および第２の表面２８０４の中心位置またはその近傍に、軸対称開口部を含む。外唇部または縁２８０８は、０．５−２．５ｍｍ厚の厚さを有してもよい。
【０１６６】
フェイズプラグ２８００のアパーチャ２８１０は、第１の表面２８０２の略中心に位置する、軸対称特徴を含んでもよい。フェイズプラグ２７００と同様に、フェイズプラグ２８００は、スピーカのダイヤフラム（図示せず）と第２の表面２８０４との間の空洞を充填する。アパーチャの一端または両端の輪郭が描かれてもよい。アパーチャ２８１０の表面積は、典型的には、プラグの上部の表面積の１５％以上である。プラグは、フレームに嵌合するための特徴を有する一方、スピーカの移動ダイヤフラムアセンブリのための隙間を提供する。フェイズプラグ２８００は、プラスチック、金属または他の好適な材料から構成されてもよい。
【０１６７】
フェイズプラグ２８００は、フェイズプラグ２７００と同様に機能するが、フェイズプラグ２８００の周波数応答は、より平滑であってもよい。加えて、フェイズプラグ２８００は、顕著に減少した音圧「挿入損失」を有してもよい。加えて、フェイズプラグ２８００は、顕著な歪曲減少を有してもよい。
【０１６８】
図２９は、フェイズプラグ２９００の上面および断面図を図示する。フェイズプラグ２９００は、スピーカのサウンド生成表面（図示せず）上に取り付けるように構成されてもよい。フェイズプラグ２９００は、第１の表面２９０２と、第２の表面２９０４とを含む。第１の表面２９０２および第２の表面２９０４は、合体物を形成し、外縁または唇部２９０６を創出する。外唇部または縁２９０６は、スピーカの取付特徴上に静置するように構成されてもよい。また、第１の表面２９０２および第２の表面は、合体物を形成し、内側唇部または縁２９０８を形成する。内側唇部２９０８は、アパーチャ２９１０の輪郭を描き、内側唇部２９０８は、アパーチャ２９１０の断面領域の輪郭を描く。
【０１６９】
フェイズプラグ２６００と同様に、フェイズプラグ２９００は、第１の表面２９０２および第２の表面２９０４の中心位置またはその近傍に、軸対称開口部として構成される、アパーチャ２９１０を含んでもよい。外縁２９０８は、０．５−２．５ｍｍ厚の厚さを有してもよい。しかしながら、フェイズプラグ２６００と異なり、フェイズプラグ２９００は、フェイズプラグ２９００がスピーカ（図示せず）に取り付けられると創出される、空洞の大部分を充填する。スピーカ上にフェイズプラグ２９００を取り付けると、空洞が、第２の表面２９０４とスピーカのダイヤフラム（図示せず）との間に形成される。
【０１７０】
アパーチャ２９１０の断面の表面積は、フェイズプラグ２９００の上部の表面積の１５％以上であってもよい。フェイズプラグ２９００は、スピーカのフレームに嵌合するための特徴を含んでもよい。フェイズプラグ２９００は、スピーカと第２の表面２９１０との間の隙間を可能にするように構成されてもよい。隙間は、フェイズプラグ２９００とスピーカのダイヤフラムアセンブリとの間の非干渉を可能にする。故に、隙間は、フェイズプラグ２９００に接触せずに、ダイヤフラムアセンブリの移動を可能にする。フェイズプラグ２９００は、プラスチックまたは金属から構成されてもよい。また、フェイズプラグ２９００は、他の好適な材料から構成されてもよい。
【０１７１】
フェイズプラグ２９００の性能は、フェイズプラグ２６００に類似する。しかしながら、フェイズプラグ２９００は、ダイヤフラムとプラグとの間の空洞の体積を減少させる。減少された空洞体積は、Ｈｅｌｍｈｏｌｔｚ共振周波数を上昇させる。減少された空洞体積は、Ｈｅｌｍｈｏｌｔｚ共振周波数範囲を拡大し得る一方、Ｈｅｌｍｈｏｌｔｚ共振音圧レベルを低下させる。
【０１７２】
フェイズプラグ２２００と同様に、図２２では、フェイズプラグ２９００は、付加的「通気孔」アパーチャをさらに含む。図２９では、フェイズプラグ２２００の同一番号付与要素は、フェイズプラグ２９００の同一番号付与要素と類似する。
【０１７３】
図２９では、第１の表面２９０２および第２の表面２９０４は、付加的内側唇部２９１２、２９１４、２９１６、２９１８、および２９２０を形成するように合体してもよく、通気孔唇部２９１２、２９１４、２９１６、２９１８、および２８２０はそれぞれ、それぞれの通気孔アパーチャ２９２２、２９２４、２９２６、２９２８、および２９３０の輪郭を描く。
【０１７４】
図２９では、各それぞれのアパーチャは、軸対称開口部２９１０を中心として位置する。ある実施例では、通気孔アパーチャ２９２２、２９２４、２９２６、２９２８、および２９３０は、均等に分散されてもよい。他の実施例では、通気孔アパーチャ２９２２、２９２４、２９２６、２９２８、および２９３０は、アパーチャ２９１０の中心軸から略同一距離で分散されてもよい。しかしながら、他の実施例では、通気孔アパーチャ２９２２、２９２４、２９２６、２９２８、および２９３０は、アパーチャ２９１０の中心から可変距離で分散されてもよい。図２９は、フェイズプラグ２９００の外縁２９０６近傍の外径を中心に位置する、５つの「通気孔」アパーチャを図示するが、他の実施例は、アパーチャ２９１０を中心として対称的に分散される、通気孔アパーチャを含んでもよい。加えて、他の実施例は、音響レンズ２４００および２５００に図示される通気孔アパーチャに類似する、非軸対称「通気孔」アパーチャまたは異なる種類の通気孔アパーチャの組み合わせを含んでもよい。通気孔アパーチャ２９２２、２９２４、２９２６、２９２８、および２９３０とアパーチャ２９１０の組み合わせは、総アパーチャ面積の増加を提供する。
【０１７５】
フェイズプラグ２９００の実施例は、フェイズプラグ２６００と類似性能を有してもよい。しかしながら、フェイズプラグ２９００は、より高いＨｅｌｍｈｏｌｔｚ共振周波数を呈してもよい。加えて、フェイズプラグ２６００と比較して、フェイズプラグ２９００は、より広いＨｅｌｍｈｏｌｔｚ共振周波数範囲と、より低いＨｅｌｒｎｈｏｌｔｚ共振音圧レベルとを有してもよい。より高いＨｅｌｍｈｏｌｔｚ共振周波数、より広い周波数範囲、およびより低い音圧レベルは、総アパーチャ面積の増加によるものである。フェイズプラグ２９００の指向性は、典型的には、Ｈｅｌｒｎｈｏｌｔｚ共振周波数からパイ×中心アパーチャの有効半径と略等しい対応する波長を伴う周波数において、より高くなる。本周波数を超えると、音圧レベルおよび指向性は、典型的には、本質的に不変である。加えて、フェイズプラグ２９００は、典型的には、減少した音圧「挿入損失」および歪曲を有する。
【０１７６】
図３０は、フェイズプラグ３０００を図示する。フェイズプラグ１００と同様に、フェイズプラグ３０００は、第１の部材３００１を含んでもよい。第１の部材３００１は、第１の表面３００２と、第２の表面３００４とを含んでもよい。第１の部材３００１の第１の表面３００２および第２の表面３００４は、第１の外縁３００６および第１の内縁３００８を形成するように合体してもよい。第１の内縁３００８は、第１のアパーチャ３０１０の輪郭を描いてもよい。
【０１７７】
フェイズプラグ３０００は、第３の表面３０１３および第４の表面３０１５を含み得る、第２の部材３０１１をさらに含んでもよい。第３の表面３０１３および第４の表面３０１５は、第２の外縁３０１７および第２の内縁３０１９を形成するように合体されてもよい。内縁３０１９は、第２のアパーチャ３０２１の輪郭を描いてもよい。
【０１７８】
音響レンズ１００と同様に、フェイズプラグ３０００は、第１の部材３００１および第２の部材３０１１を連結することによって形成されてもよい。図３０００では、フェイズプラグ１００と同様に、第２の表面３００４および第３の表面３０１３は、第１の部材３００１と第２の部材３０１１との間の少なくとも１つのアパーチャ３０２３を形成するように、反対に位置する。
【０１７９】
フェイズプラグ３０００のある実施例では、アパーチャ３０１０、３０２１、および３０２３は、フェイズプラグ３０００を通して、通路を形成するように、ともに連結してもよい。
【０１８０】
フェイズプラグ３０００は、フェイズプラグ３０００の中心を通して、軸対称通路を含んでもよい。フェイズプラグ１００と同様に、フェイズプラグ３０００は、スピーカのダイヤフラムと第４の表面３０１９との間の空洞を充填する。第１のアパーチャ３０１０および第２のアパーチャ３０２１の表面積は、典型的には、フェイズプラグ３０００の第１の表面３００２の表面積の１５％以上である。アパーチャ３０２３の総表面積は、典型的には、フェイズプラグ３０００の第１の表面３００２の表面積の１５％未満である。
【０１８１】
ある実施例では、フェイズプラグ３０００は、アパーチャ／通路３０１０の辺からフェイズプラグ３０００の底表面まで延在する、奇数または素数の断面領域スロットを含んでもよい。スロットの結合された表面積は、典型的には、中心アパーチャ３０１０の表面積以下である。フェイズプラグ３０００は、スピーカのフレームに嵌合するための特徴を含んでもよい一方、移動スピーカのダイヤフラムアセンブリのための隙間を提供する。プラグは、典型的には、プラスチックまたは金属から構成されるが、他の好適な材料からも構成可能である。
【０１８２】
フェイズプラグ３０００の性能は、フェイズプラグ２６００に類似する。しかしながら、フェイズプラグ３０００は、より低いＨｅｌｒｎｈｏｌｔｚ共振周波数、より広い周波数範囲、およびより低い音圧レベル上昇を有してもよい。音圧レベルおよび指向性は、典型的には、上述のＨｅｈｎｈｏｌｔｚ共振周波数より低い。フェイズプラグ２６００と比較して、フェイズプラグ３０００の音圧「挿入損失」および歪曲は、典型的には、減少される。
【０１８３】
図３１は、フェイズプラグ１００に類似する、フェイズプラグ３１００を図示する。フェイズプラグ３１００は、第１の部材３１６０と、第２の部材３１６２と、第３の部材３１６４とを含む。第１の部材３１６０は、フェイズプラグ１００の支持部材に類似する支持部材によって、第２の部材３１６２に連結されてもよい。第２の部材３１６２は、フェイズプラグ１００の支持部材に類似する支持部材によって、第３の部材３１６４に連結されてもよい。
【０１８４】
図３１では、第３の部材３１６４は、フェイズプラグ１００の突出部１５２に類似する、突出部を含む。第３の部材３１６４は、スピーカのダストキャップ（図示せず）上に配置されるように構成される、円唇または面取りを施した表面３１６６をさらに含んでもよい。
【０１８５】
第１の部材３１６０および第２の部材３１６２は、少なくとも１つのアパーチャ３１７０を形成し、サウンドエネルギーを、フェイズプラグ３１００を通して、中心オリフィス３１１０内へと通過させる。第２の部材３１６２および第３の部材３１６４は、サウンドエネルギー、フェイズプラグ３１００を通して、中心オリフィス３１１０内へと通過させるように構成される、少なくとも１つのアパーチャ３１７２を形成する。
【０１８６】
音響レンズ３２００は、図３２、３３、および３４において、種々の投影および配向で図示される。加えて、図３５では、音響レンズ３２００を含む、アセンブリの斜視図が、さらに示される。図２４では、音響レンズ３２００は、音響レンズ２４００に類似するが、同一ではない。
【０１８７】
図３２では、音響レンズ３２００の斜視図は、音響レンズ３２００の上部３２０２を含む、配向とともに示される。したがって、音響レンズ３２００の底面３２０４は、図３４に後述される。
【０１８８】
音響レンズ３２００は、部材３２１０の略中心またはその近傍に位置する、オリフィスまたはアパーチャ３２０８を含んでもよい。部材３２１０は、第１の辺３２１２および第２の辺３２１４を含み、第２の辺は、図３４の底面図に見られる。第１の辺３２１２は、第２の辺３２１４と合体し、外縁３２１６を形成する。加えて、部材３２１０は、リム３２０６を生成するように適合される。図３２では、リム３２０６は、オリフィス３２０８の中心から均一距離を含んでもよい。しかしながら、音響レンズ３２００が嵌合される、スピーカに応じて、リム３２０６は、楕円形形態を含むが、それに限定されない、他の形態を有するように適応されてもよい。
【０１８９】
また、第１の辺３２１２は、第２の辺３２１４と合体し、オリフィス３２０８の外側境界を画定する、内側唇部３２１６を形成してもよい。内側唇部３２１６は、面取りを施した縁、先細縁、直線縁、円唇縁、またはそれらの組み合わせを含んでもよい。
【０１９０】
部材３２１０は、リム３２０６と組み合わせ、取付特徴３２１５を形成する、外縁３２１６を含んでもよい。図３３では、取付特徴３２１３は、脚部特徴または取付表面３３１６を含んでもよい。
【０１９１】
図３２では、部材３２１０は、図２４におけるようなアパーチャ２４２２、２４２４、２４２６、２４２８、および２４３０に類似する、補助アパーチャ３２３０をさらに含んでもよい。
【０１９２】
第１の表面３２１２および第２の表面３２１４は、補助アパーチャ３２３０、３２３２、３２３４、３２３６、および３２３８を形成するようにさらに合体してもよい。実施例として、第１の表面３２１２および第２の３２１４は、唇部３２４４を形成するように合体してもよい。唇部３２４４は、補助アパーチャ３２３２の外側三角形状周縁を画定してもよい。
【０１９３】
別の実施例として、三角形アパーチャ３２３０は、アパーチャ３２０８に向かって配向される、頂点３２４０を含んでもよい。頂点３２４０は、円唇または湾曲であてもよい。また、補助アパーチャ３２３０の三角形形態は、実質的に、外縁３２１６と平行に配向される、基部または第１の辺３２４０を含んでもよい。別の実施例として、補助アパーチャ３２３６の唇部３２４４は、第２の辺３２４６と、第３の辺３４４８とをさらに含んでもよい。第２の辺３２４６および第３の辺３２４８は、基部または第１の辺３２４２を頂点３２４０に接続してもよい。
【０１９４】
部材３２１０は、中心部分３２５０を含んでもよい。中心部分３２５０は、アパーチャ３２０８を部材３２１０の略中心３２０９に封入してもよい。中心部分３２５０は、補助アパーチャ３２３０、３２３２、３２３４、３２３６、および３２４８のうちの１つ以上をさらに含んでもよい。中心部分３２５０は、外側部分またはリング３２５４上に若干隆起されてもよい。
【０１９５】
図３２では、補助アパーチャ３２３４を基準にして、中心部分３２５０は、後退部分３２５４を含んでもよい。後退部分３２５４は、補助アパーチャ３２３０、３２３２、３２３４、３２３６、および３２４８のそれぞれを中心に位置するアパーチャ３２０８から分離する。
【０１９６】
付加的実施例として、図３２および３３では、第１の表面３２１２は、第２の表面３２１４と合体し、補助アパーチャ３２３０の唇部３２６０を形成してもよい。唇部３２６０は、補助アパーチャ３２３０の境界を画定してもよい。補助境界は、基部または第１の辺３２６４と、第２の辺３２６６と、第３の辺３２６８とを含んでもよい。第２の辺３２６６および第３の辺３２６８は、頂点３２６２を形成するように合体してもよい。また、第２の辺３２６６および第３の辺３２６８は、第１の辺または基部３２６４と合体し、三角形形状を形成してもよい。第１の辺３２６４、第２の辺３２６６、および第３の辺３２６８はそれぞれ、異なる長さを有してもよい。代替として、第２の辺３２６６および第３の辺３２６８は、等しい長さを有してもよい。
【０１９７】
図３３および３４は、音響レンズ３２００の上面図および断面図を図示する。破線Ａは、音響レンズ３２００の断面の位置を図示する。破線ＢおよびＤは、断面との整合に伴う、オリフィス３２０８の外側周縁を示す。図３３の断面図では、オリフィス３２０８および補助アパーチャ３２３４を分離する、要素３２５６が見えてもよい。加えて、破線Ｃは、破線Ａで切り取られる場合、アパーチャ３２０８の略中心位置３２０９とともに、断面図の略中心位置を示す。
【０１９８】
加えて、図３３および３４は、第２の辺３２１４および取付特徴３２１５を図示する。取付特徴３２１３は、音響レンズ３２００がスピーカアセンブリ３２１２上に静置し得る、脚部特徴３２６０を含む。取付特徴３２１３および脚部特徴３３１６は、第２の表面３２１４を取付表面から偏移させるためのリング様特徴として図示される。
【０１９９】
図３５は、アセンブリ３５００の斜視図を図示する。アセンブリ３５００は、スピーカ３５１０に結合される、音響レンズ３２００を含んでもよい。スピーカ３５１０は、モータポットアセンブリ３５１２と、ダイヤフラムアセンブリ３５１４とを含んでもよい。加えて、スピーカ３５１０は、バスケット／ブラケットアセンブリ３５３０を含み、スピーカアセンブリ３５００の取付を促進してもよい。ブラケット３５３０は、最終的搭載の際、スピーカアセンブリ３５００を固着するために、種々の締着具が通過し得る、１つ以上の取付孔３５３２をさらに含んでもよい。
【０２００】
スピーカ３５１０および音響レンズ３２００は、実質的な気密シール３５２０によって連結される。実質的な気密シールは、音響レンズ３２００の脚部３３１６をブラケット３５３０に糊着するための種々の接着剤の使用によって創出されてもよい。代替として、クリップ様特徴または他の締着具（図示せず）を、ブラケット３５３０と音響レンズ３２００との間に挿入される、ガスケット（図示せず）と併用し、実質的密シール３５３０を創出してもよい。ガスケットは、強磁性または熱的伝導性材料を含んでもよい。
【０２０１】
ラウドスピーカ３５１０の磁気構造は、モータポットアセンブリ３５１２内に含有される、複数の磁石（図示せず）を含んでもよい。音響レンズ３２００は、強磁性材料から構成されてもよい。故に、複数の磁石によって発生する磁束は、少なくとも部分的に、磁束収集器として作用する、音響レンズによって収集されてもよい。
【０２０２】
図５４は、図３５のアセンブリの断面図の実施例を図示する。図５４では、戻り磁束線５４１０は、例示的強磁性音響レンズ３２００を通過する。磁束線が進行し得る、距離は、上表面３２０２および底表面３２０４における収集によって短縮される。代替として、または加えて、磁束線は、音響レンズ３２００の部材３２１０を通して、伝導されてもよい。強磁性音響レンズは、ブラケット３５３０およびスピーカフレーム３５３２と組み合わせて、直接低磁気抵抗と、磁気エネルギーがラウドスピーカ３５１０内に含まれる空隙内にチャネリングされるための制御経路とを提供してもよい。
【０２０３】
音響レンズ３２００は、強磁性材料から構築されてもよい。代替として、音響レンズ３２００は、強磁性材料で塗膜または塗装されてもよい。音響レンズ３２００は、ラウドスピーカの磁気筐体と結合されてもよい。
【０２０４】
図５４では、ラウドスピーカ３５１０は、１つ以上の磁石５４０２を格納する、磁気筐体３５１６内に所定の構成で配置される、複数の磁石（図示せず）を含んでもよい。強磁性音響レンズ３２００は、磁気エネルギーを誘引し、磁気筐体および空隙内に再び集束させてもよい。強磁性音響レンズ３２００は、磁気筐体３５１６内に一体化される磁束収集器５４０２と、ラウドスピーカのフレーム３５３２内に、磁束収集器５４０２と、磁気筐体３５１６に隣接して、または磁気筐体とフレーム３５３２との組み合わせと、さらに結合されてもよい。
【０２０５】
図５４では、磁束線５４１０は、実質的に、スピーカ装置３５００内に含有される。磁石５４０２によって発生する磁束線５４１０の少なくとも一部は、磁気的伝導性ａｃ強磁性音響レンズ３２００によって収集され、ラウドスピーカのフレーム３５３２および／または磁束収集器５４０２の組み合わせを介して、磁気筐体３５１６に戻される。ある実施例では、磁束収集器５４１０およびフレーム３５３２は、単一片に結合されてもよい。
【０２０６】
ラウドスピーカ３５１０は、第１のアセンブリおよび第２のアセンブリを別々に構築することによって製造されてもよい。第１のアセンブリおよび第２のアセンブリはそれぞれ、ラウドスピーカ３５１０の一部であってもよい。第１のアセンブリは、磁気筐体３５１６と、磁束収集器５４１０とを含んでもよい。第２のアセンブリは、支持フレームと、ラウドスピーカの円錐とを含んでもよい。第１のアセンブリおよび第２のアセンブリは、ラウドスピーカを形成するように、着脱可能に結合されてもよい。故に、第１のアセンブリまたは第２のアセンブリは、交換可能部品であってもよい。したがって、第１のアセンブリまたは第２のアセンブリのいずれかは、第１および第２のアセンブリを脱着し、第１のアセンブリまたは第２のアセンブリの一方を交換し、第１のアセンブリまたは第２のアセンブリの他方を再使用し、ラウドスピーカを形成することによって、異なる第１のアセンブリまたは第２のアセンブリと交換されてもよい。
【０２０７】
図３６、３７、および３８は、図２１、２５、および２７の音響レンズに類似する、音響レンズ３６００を図示する。音響レンズ３６００は、上面３６０２を含む。加えて、音響レンズ３６００は、底面３６０４と、中心部分およびその周囲の複数のオリフィスまたはアパーチャとを含む。部材３６１０は、第１の表面３６１２と、第２の表面３６１４とを含む。第１の表面３６１２および第２の表面３６１４は、内側唇部３６１８を形成するように合体する。内側唇部３６１８は、実質的に、オリフィス３６０８の外形を画定する。オリフィス３６０８は、部材３６１０の略中心に位置する。
【０２０８】
また、第１の表面３６１２および第２の表面３６１４は、複数の唇部３６２０、３６２２、３６２４、３６２６、および３６２８を形成するように合体してもよい。唇部３６２０、３６２２、３６２４、３６２６、および３６２８はそれぞれ、それぞれ、副次的アパーチャ、オリフィス、または通気孔、３６３０、３６３２、３６３４、３６３６、および３６３８に対応する。
【０２０９】
加えて、内側唇部３６２０は、突起３６４０、３６４２、３６４４、３６４６、および３６４８をさらに画定してもよい。突起３６４０、３６４２、３６４４、３６４６、および３６４８は、実質的に、同一平面上にあってもよい。代替として、図１のフェイズプラグ１００と同様に、突起３６４０、３６４２、３６４４、３６４６、および３６４８は、外向きに偏向してもよい。また、突起３６４０、３６４２、３６４４、３６４６、および３６４８は、内向きに偏向してもよい。
【０２１０】
さらに、図３６は、図３７と組み合わせて、突起３６４０の内部頂点３７４０を画定する、突起３６４０に対応する内側唇部３６１８の区画を図示する。突起３６４０は、補助アパーチャ３６３０の少なくとも一部をさらに含んでもよい。内側唇部３６１８の別の区画は、突起３６４２の縁をさらに画定する。内側唇部３６１８は、アパーチャ３６０８の中心に対して、複数の外側頂点または軌道近点と、内側頂点または軌道遠点とを含んでもよい。実施例として、内側唇部３６１８は、３７４２の内側頂点または軌道遠点を含んでもよい。
【０２１１】
突起３６４２は、補助アパーチャ３６３２の少なくとも一部を含む。内側唇部３６１８の別の区画は、突起３６４４の縁を画定してもよい。また、突起３６４４の縁は、内側頂点３７４４を含んでもよい。突起３６４４は、アパーチャ３６３４の一部をさらに含んでもよい。内側唇部３６１８の別の区画は、内側頂点３７４６を含む、突起３６４６の縁を画定してもよい。突起３６４６は、補助アパーチャ３６３６をさらに含んでもよい。内側唇部３６１８の別の区画は、内側頂点３７４８を含む、突起３６３８の縁を画定する。突起３６４８は、補助アパーチャ３６３８の少なくとも一部をさらに含んでもよい。
【０２１２】
図３７および３８では、破線Ａと破線Ｄは、オリフィス３６０８の略中心位置３７０９で交差する。図３７は、音響レンズ３６００の断面図をさらに図示する。オリフィス３６０８は、部材３６１０内の中心に位置してもよい。加えて、内側唇部３６３０は、突起３６４０、３６４２、３６４４、３６４６、および３６４８と組み合わせて、星様、花形、または星形形状オリフィス３６０８を形成してもよい。
【０２１３】
図３７および３８では、突起３６４０の内縁は、突起３６４２の内縁と合致し、オリフィス３６０８の外側頂点または軌道近点３６６０を形成する。また、突起３６４２の内縁は、突起３６４４の内縁と合致し、オリフィス３６０８の外側頂点または軌道近点３６６２を形成してもよい。また、突起３６４４の内縁は、突起３６４６の内縁と合致し、オリフィス３６０８の外側頂点または軌道近点３６６４を形成してもよい。突起３６４６の内縁は、突起３６４８の内縁と合致し、オリフィス３６０８の外側頂点または軌道近点３６６６を形成してもよい。突起３６４８の内縁は、突起３６４０の内縁と合致し、外側頂点または軌道近点３６６８を形成してもよい。
【０２１４】
オリフィス３６０８の略中心３６０９と、外側頂点または軌道近点３６６０、３６６２、３６６４、３６６６、および３６６８のうちの任意の１つとの間の距離は、音響レンズ３６００の全体的指向性または周波数応答をさらに改善するように調節されてもよい。アパーチャ３６０８の略中心３６０９と、外側頂点または軌道近点３６６０、３６６２、３６６４、３６６６、および３６６８のうちの任意の１つとの間の距離は、均一または等しくてもよい。代替として、外側頂点または軌道近点３６６０、３６６２、３６６４、３６６６、および３６６８のうちの少なくとも１つの距離は、外側頂点３６６０、３６６２、３６６４、３６６６、および３６６８の別の１つまでの距離と異なってもよい。
【０２１５】
また、同様に、オリフィス３６０８の略中心と、内側頂点または軌道遠点３７４０、３７４２、３７４４、３７４６、および３７４８との間の距離も、音響レンズ３６００の全体的指向性または周波数応答をさらに改善するように調節されてもよい。加えて、各個々の内側頂点または外側頂点までの相対的距離は、音響レンズのそれぞれの無効周波数応答を最小限にするように、個別に調節されてもよい。そうすることによって、所望の周波数帯域内の全体的周波数応答が、最適化され得る。
【０２１６】
加えて、補助オリフィス３６３０、３６３２、３６３４、３６３６、および３６３８の形状、サイズ、および相対的位置を調節して、音響レンズを通る空気の移動に関連する、挿入損失および歪曲を最適化してもよい。ここでは図示されないが、他の実施例に説明されるように、補助アパーチャのそれぞれの全体的形状および表面積は、同一または異なってもよく、所望の全体的周波数応答、指向性、挿入損失、および歪曲に応じて、個別のサイズを有してもよい。
【０２１７】
図３８は、音響レンズ３６００の底面図３６０４および側面図である。また、図３７にも示されるように、側面図は、部材３６１０の中心部分３６５０まで隆起し得る、リッジ３６５２を図示する。中心部分３６５０は、図３６におけるように、不撓性部分３６５６を含んでもよい。
【０２１８】
図３９は、アセンブリ３９００の斜視図を図示する。アセンブリ３９００は、スピーカ３９１０に結合される、音響レンズ３６００を含んでもよい。スピーカ３９０は、モータポットアセンブリ３９１２と、ダイヤフラムアセンブリ３９１４とを含んでもよい。加えて、スピーカ３９１０は、バスケット／ブラケットアセンブリ３９３０を含み、スピーカアセンブリ３９００の取付を促進してもよい。ブラケット０５３０は、最終的搭載の際、スピーカアセンブリ３５００を固着するために、種々の締着具が通過され得る、１つ以上の取付孔３５３２をさらに含んでもよい。
【０２１９】
スピーカ３５１０および音響レンズ３２００は、実質的な気密シール３５２０によって連結される。実質的な気密シールは、音響レンズ３２００の脚部３３１６をブラケット３５３０に糊着するための種々の接着剤の使用によって創出されてもよい。代替として、クリップ様特徴または他の締着具（図示せず）を、ブラケット３５３０と音響レンズ３２００との間に挿入される、ガスケット（図示せず）と併用して、実質的な気密シール３５３０を創出してもよい。ガスケットは、強磁性または熱的伝導性材料を含んでもよい。
【０２２０】
図４０−４３は、音響レンズ４０００を図示する。図４４および４５は、スピーカアセンブリ４４００内のスピーカとともに、音響レンズ４０００の搭載を図示する。
【０２２１】
図４０では、音響レンズ４０００は、上辺４００２を含む。音響レンズ４０００は、中心に位置するアパーチャ４００８を含んでもよい。中心に位置するアパーチャ４００８は、空気を音響レンズ４０００に通過させる、複数の小穿孔を含む。図４２では、音響レンズ４０００は、基部４００４をさらに含む。音響レンズ４０００は、外縁４００６によって画定される、外側周縁をさらに含む。
【０２２２】
音響レンズ４０００は、部材４０１０を含む。図４２では、部材４０１０は、第１の表面４０１２と、第２の表面４０１４とを含む。第１の表面４０１２は、第２の表面４０１４と合体し、外周縁縁４００６を形成する。加えて、外縁４００６は、取付特徴４０１３を含むように適合される。取付特徴４０１３は、孤立部分ならびに脚部部分４０１６を含む。脚部部分４０１６は、図４０および４５に関して論じられるように、スピーカアセンブリと嵌合するように適合される。
【０２２３】
図４０は、穿孔アパーチャ４００８が、中心に位置するドーム４０２０を含むようにさらに図示する。ドーム４０２０は、穿孔部分と、ドーム４０２０の尖部に位置する、無孔部分４０２２とを含む。無孔部分４０２２は、中実であって、スクリムのための糊着点を提供するように形成される。
【０２２４】
部材４０１０は、円錐区画４０２４をさらに含む。円錐区画４０２４は、ドーム４０２０と接続し、第１の表面４０１２に合体物または襞４０３４を形成する。部材４０１０の輪郭は、構造的不撓性を提供してもよい。部材４０１０は、円錐区画４０２４とドーム４０２０の両方を囲繞する、軸対称中実部分をさらに含む。円錐区画４０２４は、中実部分４０３０と合体し、合体物４０３４を形成する。加えて、円錐区画４０２４は、無孔または中実部分４０３２と、穿孔部分４０３６とに分割されてもよい。穿孔部分４０４０の外側境界は、他のフェイズプラグおよび響レンズに関して説明されるように、種々の幾何学的形状に配列されてもよい。
【０２２５】
図４１は、音響レンズ４０００の上面図および断面図を図示する。破線Ｂおよび破線Ｄは、ドーム４０２０と円錐区画４０２４との合体物によって創出される、同心襞の破線Ａとの相対的位置を示す。ドームの尖部は、破線Ａと破線Ｃの交点に位置する。
【０２２６】
音響レンズ４０００が、鋼鉄等の金属から作製される場合、同心襞とドーム特徴４０２０との組み合わせは、機械的強度を提供し、音響レンズ４０００を不撓化する。機械的不撓化は、サウンド再生の間、穿孔アパーチャ４００８の振動を低減するように調節されてもよい。図４１の断面図では、取付特徴４０１３は、同心脚部４０１６を含んでもよい。取付特徴４０１３は、縁４０１５を含んでもよい。縁４０１５は、外側周縁または外縁４００６を画定してもよい。
【０２２７】
図４２は、音響レンズ４２００の基部４００４を図示する。図４１と同様に、破線ＢおよびＤは、ドーム４０２０の外側周縁を境界する。加えて、図４１と同様に、破線Ｃは、音響レンズ４０００の中心点を通過する。しかしながら、ドーム４０２０の尖部４０２２は、穿孔アパーチャ４０２０の所望の不撓性に応じて、第１の平面上、下、または近傍のいずれかに位置してもよい。同様に、襞４１１０の相対的位置は、第２の平面に対して調節され、有効アパーチャ４００８の適切な不撓性を提供してもよい。
【０２２８】
図４４は、スピーカアセンブリ４４００を図示する。スピーカアセンブリ４４００は、音響レンズ４０００と、スピーカ４４１０とを含んでもよい。図４５では、スピーカ４４１０は、磁気４５１０を保持する、スピーカポット４４１２を含んでもよい。加えて、スピーカ４４１０は、外殻４０１４と、取付リング４４１６とをさらに含んでもよい。アセンブリ４４００では、音響レンズ４０００は、４４２０で実質的な気密シールを形成するように、スピーカ４４１０と合体される。上述のように、気密シール４４２０は、接着剤または糊の使用によって得られてもよい。代替として、ガスケット（図示せず）が、スピーカ４４１０と音響レンズ４０００との間に挿入されてもよい。付加的取付ハードウェアを使用して、スピーカ４４１０に対して、音響レンズ４０００を定位置に保持し、実質的な気密シール４４２０を創出してもよい。
【０２２９】
図４５は、図４４に示される、アセンブリの断面図を図示する。スピーカ４４１０は、モータポット４４１２内に常駐する、磁石４５１０を含む。スピーカ４４１０は、ダイヤフラム４５２２に結合される、ダストキャップ４５２０をさらに含む。ダイヤフラム４５２２は、サラウンド４５１２に連結する。ドーム４０２０は、ダストキャップ４５２０およびスピーカ４４１０に対して、下方に凸状である。円錐区画４０２４の角度は、スピーカと音響レンズ４０００の底面４００４との間の所望の体積を創出するように調節されてもよい。加えて、円錐区画４０２４の角度内のドーム４０２０の湾曲は、ダストキャップ４５２０およびダイヤフラム４５２２に対して、襞４１１０を配置するように調節されてもよい。
【０２３０】
図４６は、音響レンズ４６００の上面図を図示する。音響レンズ４６００は、図３６−３９の音響レンズ３６００および図４０−４５の音響レンズ４０００に類似する。
【０２３１】
音響レンズ４６００は、中心に位置し、音響レンズ４０００に類似する有効アパーチャ４６０８を形成し得る、複数の穿孔または孔を含む。音響レンズ３６００と同様に、穿孔は、星様形状、星形形状、または花形形状を含み得る、有効アパーチャ４００８を形成するように配列される。音響レンズ４０００と同様に、音響レンズ４６００は、ドーム形状部分４６０９と、円錐部分４６１０とを含んでもよい。
【０２３２】
加えて、音響レンズ４６００は、補助アパーチャ、予備アパーチャ、または通気孔４６３０、４６３２、４６３４、４６３６、および４６３８を形成するように配列される、付加的穿孔または孔を含んでもよい。
【０２３３】
補助アパーチャ、予備アパーチャ、または通気孔４６３０、４６３２、４６３４、４６３６、および４６３８は、境界を画定するように配列されてもよく、境界は、形状をさらに画定する。補助アパーチャ、予備アパーチャ、または通気孔４６３０、４６３２、４６３４、４６３６、および４６３８のそれぞれの境界は、三角形形状、星様形状、星形形状、花形形状、円形形状、および／または楕円形形状を画定してもよい。実施例として、補助アパーチャ４６３０は、星様形状を含んでもよい。予備アパーチャ４６３２、４６３４、４６３６、および４６３８は、円形形状を含んでもよい。
【０２３４】
穿孔は、等しい形態および断面領域を有してもよい。代替として、穿孔は、異なる表面積を有してもよい。実施例として、補助アパーチャ４６３０を形成する穿孔は、断面領域が異なる。
【０２３５】
図４７は、図３６−３９の音響レンズ３６００および図４６の音響レンズ４６００に類似する、音響レンズ４７００の上面図を図示する。音響レンズ４７００は、星様形状、星形様形状、または花形様形状を含み得る、アパーチャ４７０８を含んでもよい。音響レンズ４７００は、アパーチャ４６０８を画定する、内側唇部を含む。内側唇部は、複数の外側頂点または軌道近点４７６０、４７６２、４７６４、４７６６、および４７６８と、内側頂点または軌道遠点４７４０、４７４２、４７４４、４７４６、および４７４８とを含む。
【０２３６】
アパーチャ４７０８の略中心に対して、内側頂点または軌道近点４７４０、４７４２、４７４４、４７４６、および４７４８のそれぞれまでの距離は、異なってもよい。例えば、破線４７８２は、アパーチャ４７０８の中心と軌道近点４７６８との間の距離を示す。また、アパーチャ４７０８の中心に対して、内側頂点または軌道遠点４７４０、４７４２、４７４４、４７４６、および４７４８のそれぞれまでの距離も、異なってもよい。例えば、破線４７８０は、アパーチャ４７０８の中心と内側頂点または軌道遠点４７６６との間の距離を示す。
【０２３７】
図１−４６では、フェイズプラグおよび音響レンズは、主アパーチャを含んでもよい。例えば、図１では、アパーチャ１４０は、主アパーチャサイズを有する、主アパーチャであってもよい。図２０−３１では、音響レンズ２０００、２１００、２２００、２３００、２４００、２５００、２６００、２７００、２８００、２９００、３０００、および３１００は、それぞれの主アパーチャ２０１０、２１１０、２２１０、２３１０、２４１０、２５１０、２６１０、２７１０、２８１０、２９１０、３０１０、および３１１０を含んでもよい。図３２−４６では、フェイズプラグ、フェイズプラグ、および音響レンズ３２００、３６００、４０００、４６００、および４７００は、主アパーチャまたは有効アパーチャ３２０８、３６０８、４００８、４６０８、および４７０８を含んでもよい。
【０２３８】
フェイズプラグまたは音響レンズのそれぞれの主アパーチャサイズは、以下のように、所望の周波数範囲内の所与の指向性指数（ＤＩ）標的に合致するように選択されてもよい。
【０２３９】
【数２】
0005268203.tif 000004
【０２４０】
式中、ＤＩ＝指向性指数（ｄＢ）
【０２４１】
【数３】
0005268203.tif 000005
【０２４２】
ｋ＝波数（ｍ−１）、
ｆ＝周波数（Ｈｚ）、
ｃ＝空気中の音速（ｍ／ｓ）＝３４３、
ａ＝アパーチャ半径（ｍ）、および
Ｊ１＝一次ベッセル関数である。
【０２４３】
第１の実施例として、アパーチャ半径ａ＝．０２３ｍであって、直径約４７ｍｍであって、約１７３５ｍｍ２のアパーチャ表面積に対応する。故に、４０００Ｈｚの周波数では、予測される指向性指数（ＤＩ）は、略２ｄＢである。図４８は、最大約４０００Ｈｚまでの使用のために最適化される、音響レンズの性能を図示する。
【０２４４】
線４８１０は、音響レンズを伴うスピーカの軸上応答である。線４８１２は、音響レンズを伴うスピーカの電力応答である。線４８１０と線４８１２との間の差異は、指向性指数４８３０である。線４８２０は、音響レンズを伴わないスピーカの軸上応答であ。線４８２２は、音響レンズを伴わないスピーカの電力応答である。
【０２４５】
線４８２０と線４８２２との間の差異は、指向性指数４８３２である。図４８に示されるように、音響レンズを伴うスピーカアセンブリは、１０，０００Ｈｚを通して、より低い指向性を有する。加えて、２０００Ｈｚにおいて、線４８１０および４８１２を線４８２０および４８１２と比較すると、音響レンズを伴うスピーカの電力出力は、音響レンズを伴わないスピーカを上回る。
【０２４６】
フェイズプラグまたは音響レンズのそれぞれのＨｅｌｍｈｏｌｔｚ共振周波数および「Ｑ」（ピーク高度）は、以下のように、所望の周波数範囲内において増幅率を影響するように選択されてもよい。
【０２４７】
【数４】
0005268203.tif 000006
【０２４８】
【数５】
0005268203.tif 000007
【０２４９】
式中、
ｆ０＝Ｈｅｌｍｈｏｌｔｚ共振周波数（Ｈｚ）、
ｃ＝空気中の音速（ｍ／ｓ）＝３４３、
Ｓ＝アパーチャの表面積（ｍ２），
Ｌ’＝アパーチャの有効長［厚さ］（ｍ）≒１．７ａ、
ａ＝アパーチャ半径（ｍ）、
Ｖ＝スピーカダイヤフラムとフェイズプラグとの間の空気の体積（ｍ３）、
Ｑ＝Ｈｅｌｍｈｏｌｔｚ共振線質係数、
ｍ＝ρ０ＳＬ’、
ｍ＝アパーチャ内の空気の質量（ｋｇ）、
ρ０＝空気の密度（ｋｇ／ｍ３）＝１．２１、
【０２５０】
【数６】
0005268203.tif 000008
【０２５１】
Ｒｒ＝音響放射抵抗（Ｎｓ／ｍ）、および
Ｒｍ＝機械抵抗（Ｎｓ／ｍ）。
【０２５２】
アパーチャ表面積（Ｓ）１７３５ｍｍ２、体積（Ｖ）４００００ｍ３、有効アパーチャ厚（Ｌ’）４０ｍｍ、および機械抵抗（Ｒｍ）０．２７Ｎｓ／ｍを有する、フェイズプラグまたは音響レンズの場合、Ｈｅｌｍｈｏｌｔｚ共振周波数（ｆ０）は、１８００Ｈｚであって、Ｈｅｒｍｈｏｌｔｚ共振線質係数（Ｑ）は、６ｄＢである。図４８のデータに示されるように、本関係は、図４８上部のＰＷＬ曲線４８１２を図４８上部のＰＷＬ曲線４８２２と比較することによって、確証され得る。ＰＷＬ曲線４８１２は、１８００Ｈｚで６ｄＢの高さを伴う、中心ピークを有する。
【０２５３】
スピーカおよびフェイズプラグまたは音響レンズのアセンブリの音響低域挙動および／または「空洞共振」（Ｔπ）が、予測され得る。平方メートル（ｍ２）で測定される、ダイヤフラムの表面積（Ｓｄ）、同様に、平方メートル（ｍ２）で測定される、アパーチャ表面積（Ｓ）を有するフェイズプラグまたは音響レンズ、および有効アパーチャ厚（Ｌ’）を有するスピーカの場合、
【０２５４】
【数７】
0005268203.tif 000009
【０２５５】
従って、立法メートル（ｍ３）で測定される、スピーカと合体されるフェイズプラグまたは音響レンズのダイヤフラムの体積変位Ｖｄに対する、ｄＢで測定される、挿入損失（ＩＬ）は、
【０２５６】
【数８】
0005268203.tif 000010
【０２５７】
として、実験的に予測され得る。
【０２５８】
実施例として、アパーチャ表面積（Ｓ）５７０ｍｍ２およびダイヤフラムの体積変位（Ｖｄ）３８７７ｍｍ３の場合、予測される挿入損失（ＩＬ）は、０．５ｄＢである。予測されるＩＬの確証は、図４８のデータによって示される。ＳＰＬ伝達関数曲線４８１０は、約０．５ｄＢである、ＩＬを画定する、平坦、一定、かつ低周波数部分を示す。他の例示的音響レンズは、１ｄＢ未満の挿入損失を有する。
【０２５９】
効果に関連する、歪曲および挿入損失は、音響レンズのアパーチャの全体的表面積を調節することによって、低減されてもよい。例えば、１ｄＢ未満の音響レンズの挿入損失を有する音響レンズの場合、複数の補助アパーチャが、追加されてもよい。補助アパーチャはそれぞれ、表面積「Ｓｓ」を含んでもよい。
【０２６０】
代替として、補助アパーチャすべての平均断面表面積は、「Ｓｓ」であってもよく、補助アパーチャのうちの少なくとも１つは、異なる寸法または断面表面積を有する。補助アパーチャの平均断面表面積または総追加断面領域を調節し、表面積「Ｓｓ」およびＳすべての組み合わせに対して、スピーカの体積変位「Ｖｄ」の所望の比率を維持してもよい。例えば、ある場合には、１０未満の圧縮比が、望ましくてもよい。
【０２６１】
音響レンズは、ラウドスピーカの指向性を向上させ得る。加えて、音響レンズは、ＳＰＬ／ＰＷＬ周波数応答、挿入損失、および歪曲に及ぼす負の影響を最小限にし得る。ある周波数範囲では、ＳＰＬ／ＰＷＬは、低減され得るが、別の利点として、本明細書に説明される音響レンズは、他の周波数領域では、ＳＰＬ／ＰＷＬを増加させ得る。本明細書に説明される音響レンズの別の利点は、音響低域フィルタリング挙動である。これらの改良は、本質的に、任意のオーディオ周波数において得られ得る。改良は、典型的には、少なくとも１オクターブから２オクターブ以上の周波数範囲に及ぶ。
【０２６２】
図４８では、フェイズプラグまたは音響レンズを伴うスピーカの出力は、全体的音力出力を向上させ得る。向上した全体的音力出力は、動作帯域幅（２００−４０００Ｈｚ）にわたって、フェイズプラグまたは音響レンズ４８２２を伴わない同一スピーカの電力出力と、フェイズプラグまたは音響レンズ４８１２を伴う同一スピーカの電力出力との比較によって示され得る。指向性指数は、その動作帯域幅にわたって、フェイズプラグまたは音響レンズを伴わないスピーカより、フェイズプラグまたは音響レンズを伴うスピカーにおいて低くなる。故に、フェイズプラグまたは音響レンズを伴うスピーカアセンブリは、同時に、フェイズプラグまたは音響レンズを伴わない同一スピーカアセンブリより広い聴取角度にわたって、向上した音力出力を有し得る。
【０２６３】
図４９では、スピーカアセンブリ内の音響レンズの挿入損失４９１０は、１０００Ｈｚ以下で０．５ｄＢ未満である。加えて、挿入損失は、３１５Ｈｚから１０００Ｈｚの周波数範囲にわたって、フェイズプラグの比較的高挿入損失４９２０より低くかつ長くあり続ける。
【０２６４】
図５０Ａおよび５０Ｂでは、極性応答データは、図１−４７のフェイズプラグ、音響レンズ、またはアセンブリの実施例の指向性改良を示す。図５０Ａでは、プロットは、フェイズプラグまたは音響レンズを伴う、異なる軸外角度における、スピーカの極性応答を示す。図５０Ｂでは、プロットは、フェイズプラグまたは音響レンズを伴わない、異なる軸外角度における、スピーカの極性応答を示す。スピーカ５１５０、５１５１、５０５２、５０５３、５０５４、５０５５、５０５６、５０５７、および５０５８を伴わない、スピーカ応答は、それぞれ、０度、１０度、２０度、３０度、４０度、５０度、６０度、７０度、および８０度の軸外における軸外応答に対応する。
【０２６５】
図５０Ａでは、軸上正規化極性応答の性質の群化５０１２は、０ｄｂで群化される。５０１０における軸外正規化極性応答の群化は、性質が１０ｄｂ内で群化されることを示す。対照的に、図５０Ｂでは、軸外正規化応答の群化５０２０は、８０度の軸外位置に拡散し、低密度に群化される。音響レンズの有無によるスピーカの応答の性質の比較は、ラウドスピーカの軸上位置からの種々の軸外角度における、極性応答の群化の緊密性によって特性化されてもよい。
【０２６６】
向上した指向性性能の別の実施例として、５１Ａでは、音響レンズを伴わないスピーカからの軸外音圧レベル（ＳＰＬ）データは、応答曲線の比較的緊密な群化５１１０、５１１２、および５１１４を有する。対照的に、図Ｂでは、軸外音圧レベルデータは、群化５１２０および５１２２を有する。比較的に緊密な群化５１１０、５１１２、および５１１４は、向上した指向性に対応する。対照的に、図５１Ｂでは、各軸外位置に対するＳＬＰの群化５１１０および５１１２は、実質的かつ非均一に分化する。
【０２６７】
図５２では、ＴＨＤデータ５２２０は、フェイズプラグの実施例の比較的高歪曲効果を表し、比較的高歪曲は、システムの性能に約４．５％の付加的ＴＨＤを追加する。対照的に、ＴＨＤデータ５２２０は、本明細書に説明される、音響レンズを伴うスピーカアセンブリのＴＨＤを表し、ＴＨＤは、比較的低く、以下１．６％以下の付加的ＴＨＤを追加する。
【０２６８】
図５３は、音響レンズを伴わないスピーカの音圧レベル（ＳＰＬ）、電力ワットレベル（ＰＷＬ）、および指向性指数（ＤＩ）のデータの典型を図示する。図５３では、音圧レベル（ＳＰＬ）５３１０、電力ワットレベル（ＰＷＬ）５３１２、および指向性指数（ＤＩ）５３３０は、スピーカおよび音響レンズを有するアセンブリの性能に対応する。対照的に、音圧レベル（ＳＰＬ）５３２０、電力ワットレベル（ＰＷＬ）５３２２、および指向性指数（ＤＩ）５３３２は、音響レンズを伴わない同一スピーカの性能に対応する。
【０２６９】
図５３では、音響レンズを伴わないスピーカの軸上応答５３２０は、音響レンズを伴わないスピーカの電力応答５３２２と対比される。軸上応答５３２０と電力応答５３２２との間の差異は、指向性指数５２３２である。図４８に示されるように、音響レンズを伴うスピーカアセンブリは、２０，０００Ｈｚを通して、より低い指向性を有する。加えて、約１８００Ｈｚにおいて、音響レンズを伴うスピーカの軸上応答５３１０および電力応答５３１２と、音響レンズを伴わないスピーカの軸上応答５３２０および電力応答５３２２とを比較すると、音響レンズを伴うスピーカの電力出力は、音響レンズを伴わないスピーカを上回る。
【０２７０】
フェイズプラグまたは音響レンズは、強磁性材料を含む、または強磁性特性を有する、材料から形成されてもよい。あるフェイズプラグまたは音響レンズは、穿孔表面を含んでもよい。代替として、フェイズプラグまたは音響レンズは、フェイズプラグまたは音響レンズのアパーチャ上に強磁性メッシュを含んでもよい。他の実施例では、フェイズプラグまたは音響レンズは、磁束収集を改善するために、再びスピーカに磁気的に結合されてもよい。遊離磁束の低下に加え、上述のような向上した磁束収集は、スピーカの効率性を向上させ得る。加えて、フェイズプラグを形成する材料は、熱放散を向上させ、遊離磁束遮蔽、および上述のような磁束収集を提供するように選択されてもよい。
【０２７１】
本発明の種々の実施例が説明されたが、さらに多くの実施例および実装が、発明の範囲内で可能であることは、当業者には明白であるだろう。故に、本発明は、制限されるものではなく、但し、添付の請求項およびその同等物に照らして考慮される。
【図１】
0005268203.tif 000013
【図２】
0005268203.tif 000014
【図３】
0005268203.tif 000015
【図４】
0005268203.tif 000016
【図５】
0005268203.tif 000017
【図６】
0005268203.tif 000018
【図７】
0005268203.tif 000019
【図８】
0005268203.tif 000020
【図９】
0005268203.tif 000021
【図１０】
0005268203.tif 000022
【図１１】
0005268203.tif 000023
【図１２】
0005268203.tif 000024
【図１３】
0005268203.tif 000025
【図１４】
0005268203.tif 000026
【図１５】
0005268203.tif 000027
【図１６】
0005268203.tif 000028
【図１７】
0005268203.tif 000029
【図１８】
0005268203.tif 000030
【図１９】
0005268203.tif 000031
【図２０】
0005268203.tif 000032
【図２１】
0005268203.tif 000033
【図２２】
0005268203.tif 000034
【図２３】
0005268203.tif 000035
【図２４】
0005268203.tif 000036
【図２５】
0005268203.tif 000037
【図２６】
0005268203.tif 000038
【図２７】
0005268203.tif 000039
【図２８】
0005268203.tif 000040
【図２９】
0005268203.tif 000041
【図３０】
0005268203.tif 000042
【図３１】
0005268203.tif 000043
【図３２】
0005268203.tif 000044
【図３３】
0005268203.tif 000045
【図３４】
0005268203.tif 000046
【図３５】
0005268203.tif 000047
【図３６】
0005268203.tif 000048
【図３７】
0005268203.tif 000049
【図３８】
0005268203.tif 000050
【図３９】
0005268203.tif 000051
【図４０】
0005268203.tif 000052
【図４１】
0005268203.tif 000053
【図４２】
0005268203.tif 000054
【図４３】
0005268203.tif 000055
【図４４】
0005268203.tif 000056
【図４５】
0005268203.tif 000057
【図４６】
0005268203.tif 000058
【図４７】
0005268203.tif 000059
【図４８】
0005268203.tif 000060
【図４９】
0005268203.tif 000061
【図５０Ａ】
0005268203.tif 000062
【図５０Ｂ】
0005268203.tif 000063
【図５１Ａ】
0005268203.tif 000064
【図５１Ｂ】
0005268203.tif 000065
【図５２】
0005268203.tif 000066
【図５３】
0005268203.tif 000067
【図５４】
0005268203.tif 000068